(57)【要約】      （修正有）【課題】クライアントのために通信セッションへのアクセスを容易にするための方法及び装置を提供する。【解決手段】モバイル仮想ネットワーク・オペレータ（ＭＶＮＯ）においてクライアントからのアクセス・リクエストを受信することと（ＭＶＮＯはモバイル・ネットワーク・オペレータ（ＭＮＯ）のセットに関連する）、前記ＭＶＮＯのセットのうちの少なくとも一つに関連するクライアント・コネクション・パラメータを、前記クライアントから受信することと、前記ＭＶＮＯのセットのうちの少なくとも一つに関連するネットワーク上の通信セッションのための少なくとも一つのオプションを作成することと（前記少なくとも一つのオプションは前記クライアント・コネクション・パラメータ及び前記ＭＮＯのセットに関連するＭＶＮＯコネクション・パラメータに基づく）、前記少なくとも一つのオプションに基づいて、選択された通信セッションを確立することを含む。【選択図】図１
2014090471.tif 000002
【特許請求の範囲】
【請求項１】
クライアントのために通信セッションへのアクセスを容易にするための方法において、前記方法は、
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信することと、
前記クライアントから、前記ＭＮＯのセットのうちの少なくとも一つのＭＮＯに関連するクライアント・コネクション・パラメータを受信することと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成することと、
前記少なくとも一つのオプションに基づいて、選択された通信セッションを確立することを含む方法。
【請求項２】
通信セッションのための少なくとも一つのオプションを作成することは、複数の通信セッションのための複数のオプションを作成することを含み、
前記方法は、前記複数のオプションを前記クライアントに送信することと、
前記複数のオプションからの前記選択された通信セッションの識別情報を、前記クライアントから受信することを更に含む請求項１の方法。
【請求項３】
通信セッションのための少なくとも一つのオプションを作成することは、複数の通信セッションのための複数のオプションを作成することを含み、
前記方法は、前記ＭＶＮＯによって、前記クライアントのために、前記複数のオプションから、前記選択された通信セッションを選択することを更に含む請求項１の方法。
【請求項４】
前記アクセス・リクエストを受信することは、
前記クライアントに関連するクライアント信用証明書を受信することと、
前記選択された通信セッションのために前記ライアント信用証明書を認証することを含む請求項１の方法。
【請求項５】
前記クライアントは、ＭＶＮＯと通信する許可を与えられた他のデバイスから、前記ＭＶＮＯにアクセスするためのアクセス情報を提供されるデバイスを含み、
前記方法は、前記選択された通信セッションの確立の際に使用するために、一時的な識別情報を前記クライアントに提供することを更に含む請求項１の方法。
【請求項６】
前記選択された通信セッションを確立することは、ＭＮＯのセットのうちの一つを、前記通信セッションのためのホストＭＮＯとして、確立することを更に含む請求項１の方法。
【請求項７】
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む請求項１の方法。
【請求項８】
前記ＭＶＮＯコネクション・パラメータは、
前記ＭＮＯのセットに関連する少なくとも一つのネットワークのためのネットワーク可用性、又は、
前記ＭＮＯのセットのうちの少なくとも一つにおける負荷レベルに基づくリンク利用の推定、又は、
前記ＭＮＯのセットに関連する少なくとも一つのネットワークのためのシステム負荷、又は、
前記ＭＮＯのセットに関連するプライシング・オプションのうちの少なくとも一つを含む請求項１の方法。
【請求項９】
通信セッションのための少なくとも一つのオプションを作成することは、ネットワーク資源を実質的に最小化し及びクライアント資源を実質的に最小化するために、前記通信セッションのための少なくとも一つのオプションを最適化することを更に含み、
ネットワーク資源は、ネットワーク負荷、使用及びプライスのうちの少なくとも一つを含み、クライアント資源は、クライアント・エネルギー使用、サービス品質及びプライスのうちの少なくとも一つを含む請求項１の方法。
【請求項１０】
前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えることを更に含む請求項１の方法。
【請求項１１】
前記予め定められた閾値は、
ネットワーク信号閾値レベル、又は、
ネットワーク負荷閾値レベル、又は、
ネットワーク・プライス閾値レベルのうちの少なくとも一つを含む請求項１０の方法。
【請求項１２】
前記ＭＮＯのセットから、少なくとも一つのＭＮＯのためのスペクトル利用を観測することと、
前記スペクトル利用に基づいて、前記ＭＮＯのうちの一つに、前記通信セッションを動的に割り当てることを更に含む請求項１の方法。
【請求項１３】
前記ＭＮＯのセットから、少なくとも一つのＭＮＯのためのスペクトル利用を観測することと、
前記スペクトル利用検査に基づいて、前記ＭＮＯのセットからの少なくとも一つのＭＮＯのために、利用できるスペクトルを最適に割り当てるために、ネットワークを統計的に多重化することを更に含む請求項１の方法。
【請求項１４】
前記ＭＶＮＯによって、前記選択された通信セッションのための制御及びデータ・フローを管理することを更に含む請求項１の方法。
【請求項１５】
前記ＭＶＮＯによって、前記通信セッションのためのハンドオーバー・イベントを管理することを更に含み、
前記ハンドオーバー・イベントは、前記選択されたＭＮＯから第２のＭＮＯへのハンドオーバー又は前記選択されたＭＮＯ内のハンドオーバーのうちの少なくとも一つを含む請求項１４の方法。
【請求項１６】
通信セッションのための少なくとも一つのオプションを作成することは、前記ＭＮＯのセットのサブセットのための通信セッションのためのオプションを判定することを更に含み、
前記サブセットは、前記クライアントによりアクセスできる利用できるＭＮＯを含む請求項１の方法。
【請求項１７】
通信セッションのための少なくとも一つのオプションを作成することは、前記ＭＮＯのセットのサブセットを判定することを更に含み、
前記サブセットは、前記クライアントによる選択のためにアクセスできない省略されたＭＮＯを含む請求項１の方法。
【請求項１８】
前記ＭＮＯのセットは、少なくとも二つの異なるサービス・プロバイダによりオペレートされるＭＮＯを含む請求項１の方法。
【請求項１９】
前記ＭＮＯのセットは、少なくとも二つの異なる通信プロトコルの使用を含む請求項１の方法。
【請求項２０】
前記ＭＮＯのセットは、少なくとも二つの異なるサービス・プロバイダによりオペレートされるＭＮＯ、及び、少なくとも二つの異なる通信プロトコルを使用することを含む請求項１の方法。
【請求項２１】
クライアントのために通信セッション・アクセスを容易にするための装置において、前記装置は、
モバイル仮想ネットワーク・オペレータ（ＭＶＮＯ）（該ＭＶＮＯは、モバイル・ネットワーク・オペレータ（ＭＮＯ）のセットに関連する）において、前記クライアントからアクセス・リクエストを受信し、前記クライアントから、前記ＭＮＯのセットのうちの少なくとも一つのＭＮＯに関連するクライアント・コネクション・パラメータを受信するように動作可能なアクセス・モジュールと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成し、
前記少なくとも一つのオプションに基づいて、選択された通信セッションを確立するように動作可能なコネクション・モジュールとを含む装置。
【請求項２２】
前記コネクション・モジュールは、
前記複数の通信セッションのための数のオプションを作成し、
前記複数のオプションを前記クライアントに送信し、
前記複数のオプションからの前記選択された通信セッションの識別情報を、前記クライアントから受信するように更に動作可能である請求項２１の装置。
【請求項２３】
前記コネクション・モジュールは、
複数の通信セッションのための複数のオプションを作成し、
前記ＭＶＮＯによって、前記クライアントのために、前記複数のオプションから、前記選択された通信セッション選択を選択するように更に動作可能である請求項２１の装置。
【請求項２４】
前記コネクション・モジュールは、
前記クライアントに関連するクライアント信用証明書を受信し、
前記通信セッションのために前記ライアント信用証明書を認証するように動作可能であるクレデンシャル・マネージャー・モジュールを更に含む請求項２１の装置。
【請求項２５】
前記コネクション・モジュールは、
ＭＶＮＯと通信する許可を与えられた他のデバイスから、前記ＭＶＮＯにアクセスするためのアクセス情報を、前記クライアントから受信し、
前記選択された通信セッションの確立の際に使用するために、一時的な識別情報を前記クライアントに提供するように動作可能であるクレデンシャル・マネージャー・モジュールを更に含む請求項２１の装置。
【請求項２６】
前記ＭＮＯのセットのうちの一つは、前記通信セッションのためのホストＭＮＯとして前記ＭＶＮＯにより使用される請求項２１の装置。
【請求項２７】
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む請求項２１の装置。
【請求項２８】
前記ＭＶＮＯコネクション・パラメータは、
前記ＭＮＯのセットに関連する少なくとも一つのネットワークのためのネットワーク可用性、又は、
前記ＭＮＯのセットのうちの少なくとも一つにおける負荷レベルに基づくリンク利用の推定、又は、
前記ＭＮＯのセットに関連する少なくとも一つのネットワークのためのシステム負荷、又は、
前記ＭＮＯのセットに関連するプライシング・オプションのうちの少なくとも一つを含む請求項２１の装置。
【請求項２９】
前記コネクション・モジュールは、ネットワーク資源を実質的に最小化し及びクライアント資源を実質的に最小化するために、前記通信セッションのための少なくとも一つのオプションを最適化するように動作可能な最適化モジュールを更に含み、
ネットワーク資源は、ネットワーク負荷、コスト及びプライスのうちの少なくとも一つを含み、クライアント資源は、クライアント・エネルギー使用、サービス品質及びプライスのうちの少なくとも一つを含む請求項２１の装置。
【請求項３０】
前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えるためのハンドオーバー・マネージャー・モジュールを更に含む請求項２１の装置。
【請求項３１】
前記予め定められた閾値は、
ネットワーク信号閾値レベル、又は、
ネットワーク負荷閾値レベル、又は、
ネットワーク・プライス閾値レベルのうちの少なくとも一つを含む請求項３０の装置。
【請求項３２】
前記ＭＮＯのセットから、少なくとも一つのＭＮＯのためのスペクトル利用を観測し、
前記スペクトル利用に基づいて、前記ＭＮＯのうちの一つに、前記通信セッションを動的に割り当てるように動作可能なスペクトル解析モジュールを更に含む請求項２１の装置。
【請求項３３】
前記ＭＮＯのセットから、少なくとも一つのＭＮＯのためのスペクトル利用を観測することと、
前記スペクトル利用検査に基づいて、前記ＭＮＯのセットからの少なくとも一つのＭＮＯのために、利用できるスペクトルを最適に割り当てるために、ネットワークを統計的に多重化するように動作可能なスペクトル解析モジュールを更に含む請求項２１の装置。
【請求項３４】
前記ＭＶＮＯによって、前記通信セッションのための制御及びデータ・フローを管理するように動作可能な制御マネージャー・モジュール及びデータ・マネージャー・モジュールを更に含む請求項２１の装置。
【請求項３５】
前記ＭＶＮＯによって、前記通信セッションのためのハンドオーバー・イベントを管理するように動作可能なハンドオーバー・マネージャー・モジュールを更に含み、
前記ハンドオーバー・イベントは、前記選択されたＭＮＯから第２のＭＮＯへのハンドオーバー及び前記選択されたＭＮＯ内のハンドオーバーのうちの少なくとも一つを含む請求項３４の装置。
【請求項３６】
前記ＭＮＯのセットのサブセットのための通信セッションのためのオプションを判定するように動作可能なＭＮＯ評価器モジュールを更に含み、
前記サブセットは、前記クライアントによりアクセスできる利用できるＭＮＯを含む請求項２１の装置。
【請求項３７】
前記ＭＮＯのセットのサブセットを判定するように動作可能なＭＮＯ評価器モジュールを更に含み、
前記サブセットは、前記クライアントによる選択のためにアクセスできない省略されたＭＮＯを含む請求項２１の装置。
【請求項３８】
前記ＭＮＯのセットは、少なくとも二つの異なるサービス・プロバイダによりオペレートされるＭＮＯを含む請求項２の装置。
【請求項３９】
前記ＭＮＯのセットは、少なくとも二つの異なる通信プロトコルの使用を含む請求項２１の装置。
【請求項４０】
前記ＭＮＯのセットは、少なくとも二つの異なるサービス・プロバイダによりオペレートされるＭＮＯ、及び、少なくとも二つの異なる通信プロトコルを使用することを含む請求項２１の装置。
【請求項４１】
クライアントのために通信セッションへのアクセスを容易にするように構成された少なくとも一つのプロセッサにおいて、
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための第１のモジュールと、
前記クライアントから、前記ＭＮＯのセットのうちの少なくとも一つのＭＮＯに関連するクライアント・コネクション・パラメータを受信するための第２のモジュールと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための第３のモジュールと、
前記少なくとも一つのオプションに基づいて、選択された通信セッションを確立するための第４のモジュールことを含む少なくともプロセッサ。
【請求項４２】
コンピュータに、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信させるための第１のコード・セットと、
コンピュータに、前記クライアントから、前記ＭＮＯのセットのうちの少なくとも一つのＭＮＯに関連するクライアント・コネクション・パラメータを受信させるための第２のコード・セットと、
前記コンピュータに、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成させるための第３のコード・セットと、
前記コンピュータに、前記少なくとも一つのオプションに基づいて、選択された通信セッションを確立させるための第４のコード・セットとを含むコンピュータ読み取り可能な媒体を含むコンピュータ・プログラム製品。
【請求項４３】
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための手段と、
前記クライアントから、前記ＭＮＯのセットのうちの少なくとも一つのＭＮＯに関連するクライアント・コネクション・パラメータを受信するための手段と、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための手段と、
前記少なくとも一つのオプションに基づいて、選択された通信セッションを確立するための手段とを含む装置。
【請求項４４】
モバイル仮想ネットワーク・オペレータを通した通信セッションへのクライアントのためのアクセスを容易にする方法において、前記方法は、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信することと、
前記ＭＮＯのセットのうちの少なくとも一つに関連するクライアント・クライアント・コネクション・パラメータから送信することと、
前記ＭＮＯのセットのうちの選択されたＭＮＯに関連するネットワーク上で選択された通信セッションを確立することを含む方法。
【請求項４５】
複数の通信セッションのための複数のオプションを受信することと、
前記クライアントから前記複数のオプションからの前記選択された通信セッションの識別情報を送信することを更に含む請求項４４の方法。
【請求項４６】
前記複数のオプションからの前記選択された通信セッションのＭＶＮＯによる選択を受信することを更に含む請求項４４の方法。
【請求項４７】
前記クライアントからアクセス・リクエストを送信することは、
前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信することを含む請求項４４の方法。
【請求項４８】
前記アクセス・リクエストを送信することは、
隣接ノードと通信することと、
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信することと、
前記アクセス可能化情報を送信することを更に含む請求項４４の方法。
【請求項４９】
前記アクセス可能化情報を受信することは、前記隣接ノードから一時的な信用証明書を受信することを更に含む請求項４８の方法。
【請求項５０】
前記隣接ノードと通信することは、アクセス・セッションを前記隣接ノードから購入することを更に含む請求項４８の方法。
【請求項５１】
前記アクセス可能化情報を受信することは、前記クライアントと前記隣接ノードとの間の無線通信リンクを介して受信することを更に含む請求項４８の方法。
【請求項５２】
前記クライアントにより、前記ＭＶＮＯからの隣接ノードのための通信セッションのためのアクセス可能化情報を要求することと、
前記クライアントにおいて、前記ＭＶＮＯからの前記隣接ノードのための前記通信セッションのためのアクセス可能化情報を受信することと、
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供することを更に含む請求項４４の方法。
【請求項５３】
前記通信セッションのためのアクセス可能化情報を受信することは、前記隣接ノードのための一時的な信用証明書を受信することを更に含む請求項５２の方法。
【請求項５４】
前記通信セッションのためのアクセス可能化情報を要求することは、前記隣接ノードの代わりに通信セッションを前記ＭＶＮＯから購入することを更に含む請求項５２の方法
【請求項５５】
前記隣接ノードへ前記通信セッションのための前記アクセス可能化情報を提供することは、前記クライアントと前記隣接ノードとの間の無線通信リンクを介して、前記通信セッションのための前記アクセス可能化情報を送信することを更に含む請求項５２の方法。
【請求項５６】
前記クライアント・コネクション・パラメータは、
前記ＭＮＯのセットに関連する少なくとも一つのネットワークに関するネットワーク可用性、又は、
前記クライアントにおける局所負荷レベルに基づくリンク利用の推定、又は、
前記クライアントにより選択される要求されたサービス品質閾値、又は、
前記ＭＮＯのセットに関連する少なくとも一つのネットワーク上の起こり得る通信セッションのためのリンク品質のうちの少なくとも一つを含む請求項４４の方法。
【請求項５７】
前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを更に含む請求項４４の方法。
【請求項５８】
前記予め定められた閾値は、
ネットワーク信号閾値レベル、又は、
ネットワーク負荷閾値レベル、又は、
ネットワーク・プライス閾値レベルのうちの少なくとも一つを含む請求項５７の方法。
【請求項５９】
前記ＭＮＯのセットは、ＭＮＯのサブセットを更に含み、
前記ＭＮＯのサブセットは、前記クライアントによりアクセスできる利用可能なＭＮＯを含む請求項４４の方法。
【請求項６０】
前記ＭＮＯのセットは、ＭＮＯのサブセットを更に含み、
前記ＭＮＯのサブセットは、前記クライアントによりアクセスできない利用可能でないＭＮＯを除外する請求項４４の方法。
【請求項６１】
モバイル仮想ネットワーク・オペレータを通した通信セッションへのクライアントのためのアクセスを容易にする装置において、前記装置は、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信し、前記ＭＮＯのセットのうちの少なくとも一つに関連するクライアント・クライアント・コネクション・パラメータから送信するように動作可能な送信モジュールと、
前記ＭＮＯのセットのうちの選択されたＭＮＯに関連するネットワーク上で選択された通信セッションを確立するように動作可能なコネクション・モジュールを含む装置。
【請求項６２】
前記コネクション・モジュールは、
複数の通信セッションのための複数のオプションを受信し、
前記クライアントから前記複数のオプションからの前記選択された通信セッションの識別情報を送信するように更に動作可能である請求項６１の装置。
【請求項６３】
前記コネクション・モジュールは、前記複数のオプションからの前記選択された通信セッションのＭＶＮＯによる選択を受信するようにを更に動作可能である請求項６１の装置。
【請求項６４】
前記送信モジュールは、前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信するように更に動作可能な請求項６１の装置。
【請求項６５】
前記送信モジュールは、
隣接ノードと通信し、
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信し、
前記アクセス可能化情報を送信するように更に動作可能である請求項６１の装置。
【請求項６６】
前記送信モジュールは、前記隣接ノードから一時的な信用証明書を受信するように更に動作可能である請求項６５の装置。
【請求項６７】
前記送信モジュールは、アクセス・セッションを前記隣接ノードから購入するように更に動作可能である請求項６５の装置。
【請求項６８】
前記送信モジュールは、前記クライアントと前記隣接ノードとの間の無線通信リンクを介して前記アクセス可能化情報を受信するように更に動作可能である請求項６５の装置。
【請求項６９】
前記送信モジュールは、
前記ＭＶＮＯからの隣接ノードのための通信セッションのためのアクセス可能化情報を要求し、
前記ＭＶＮＯからの前記隣接ノードのための前記通信セッションのためのアクセス可能化情報を受信し、
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供するように更に動作可能である請求項６１の装置。
【請求項７０】
前記送信モジュールは、前記隣接ノードのための一時的な信用証明書を受信するように更に動作可能である請求項６９の装置。
【請求項７１】
前記送信モジュールは、前記隣接ノードの代わりに通信セッションを前記ＭＶＮＯから購入するように更に動作可能である請求項６９の装置。
【請求項７２】
前記送信モジュールは、前記クライアントと前記隣接ノードとの間の無線通信リンクを介して、前記通信セッションのための前記アクセス可能化情報を前記隣接ノードへ送信するように更に動作可能である請求項６９の装置。
【請求項７３】
前記クライアント・コネクション・パラメータは、
前記ＭＮＯのセットに関連する少なくとも一つのネットワークに関するネットワーク可用性、又は、
前記クライアントにおける局所負荷レベルに基づくリンク利用の推定、又は、
前記クライアントにより選択される要求されたサービス品質閾値、又は、
前記ＭＮＯのセットに関連する少なくとも一つのネットワーク上の起こり得る通信セッションのためのリンク品質のうちの少なくとも一つを含む請求項６１の装置。
【請求項７４】
前記コネクション・モジュールは、前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを可能にするように更に動作可能な請求項６１の装置。
【請求項７５】
前記予め定められた閾値は、
ネットワーク信号閾値レベル、又は、
ネットワーク負荷閾値レベル、又は、
ネットワーク・プライス閾値レベルのうちの少なくとも一つを含む請求項７４の装置。
【請求項７６】
前記ＭＮＯのセットは、ＭＮＯのサブセットを更に含み、
前記ＭＮＯのサブセットは、前記クライアントによりアクセスできる利用可能なＭＮＯを含む請求項６１の装置。
【請求項７７】
前記ＭＮＯのセットは、ＭＮＯのサブセットを更に含み、
前記ＭＮＯのサブセットは、前記クライアントによりアクセスできない利用可能でないＭＮＯを除外する請求項６１の装置。
【請求項７８】
モバイル仮想ネットワーク・オペレータを通した通信セッションへのクライアントのためのアクセスを容易にするように構成された少なくとも一つのプロセッサにおいて、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための第１のモジュールと、
前記ＭＮＯのセットのうちの少なくとも一つに関連するクライアント・クライアント・コネクション・パラメータから送信するための第２のモジュールと、
前記ＭＮＯのセットのうちの選択されたＭＮＯに関連するネットワーク上で選択された通信セッションを確立するための第３のモジュールとを含むプロセッサ。
【請求項７９】
コンピュータに、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信させるための第１のコード・セットと、
コンピュータに、前記ＭＮＯのセットのうちの少なくとも一つに関連するクライアント・クライアント・コネクション・パラメータから送信させるための第２のコード・セットと、
前記コンピュータに、前記ＭＮＯのセットのうちの選択されたＭＮＯに関連するネットワーク上で選択された通信セッションを確立させるための第３のコード・セットとを含むコンピュータ読み取り可能な媒体を含むコンピュータ・プログラム製品。
【請求項８０】
モバイル仮想ネットワーク・オペレータを通した通信セッションへのクライアントのためのアクセスを容易にする装置において、前記装置は、
クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための手段と、
前記ＭＮＯのセットのうちの少なくとも一つに関連するクライアント・クライアント・コネクション・パラメータから送信するための手段と、
前記ＭＮＯのセットのうちの選択されたＭＮＯに関連するネットワーク上で選択された通信セッションを確立するための手段とを含む装置。
【発明の詳細な説明】
【技術分野】
【０００１】
（35 U.S.C. §119の下の優先権の主張）
本特許出願は、２００８年７月１７日付け提出され、本願の譲受人に譲渡され、参照によって明確に本明細書に組み込まれる「MVNO Hosting and Pricing Architectures」と題された米国仮出願第６１／０８１，６７５号の優先権を主張する。
【０００２】
（技術分野）
本出願は、一般に無線通信に関し、より詳しくはクライアントのための通信ネットワーク・アクセスを容易にするための方法及びシステムに関する。
【背景技術】
【０００３】
複数のユーザに様々なタイプの通信（例えば、ボイス、データ、マルチメディアサービスなど）を提供するために、無線通信システムが広く配置される。これらのシステムは、利用できるシステム資源（例えば、バンド幅及び送信電力）を共有することによって、複数のユーザとの通信をサポートすることができる多元接続システムであることがある。そのようなマルチアクセス・システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（3GPP Long Term Evolution）（ＬＴＥ）システム及び直交周波数分割多元接続（ＯＦＤＭＡ）システムを含む。
【０００４】
通常、無線マルチアクセス通信システムは、複数の無線端末に関する通信を同時にサポートすることができる。各々の端末は、順方向及び逆方向リンク上の伝送を介して１又は複数の基地局と通信する。順方向リンク（又はダウンリンク）は、基地局から端末への通信リンクを指し示し、逆方向リンク（又はアップリンク）は端末から基地局への通信リンクを指し示す。この通信リンクは、単一入力単一出力、多重入力単一出力又は多重入力多重出力（ＭＩＭＯ）システムを介して確立されることがある。
【０００５】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナにより形成されるＭＩＭＯチャネルは、ＮＳ個の独立したチャネル（それは空間チャネルとも呼ばれる）に分解され得る。ここで、ＮＳ≦ｍｉｎ｛ＮＴ，ＮＲ｝である。ＮＳ個の独立したチャネルの各々は、次元に対応する。複数の送信及び受信アンテナにより作成される更なる次元が利用される場合、ＭＩＭＯシステムは、向上されたパフォーマンス（例えば、より高いスループット及び／又はより大きな信頼性）を提供することができる。
【０００６】
ＭＩＭＯシステムは、時分割双方向（ＴＤＤ）及び周波数分割双方向（ＦＤＤ）システムをサポートする。ＴＤＤシステムにおいて、順方向及び逆方向リンク伝送は、相互関係原則が逆方向リンク・チャネルから順方向リンク・チャネルを推定することを可能にするように、同一の周波数領域上にある。これは、アクセスポイントにおいて複数のアンテナが利用できるときに、アクセスポイントが順方向リンク上の送信ビフォーミング利得を抽出するのを可能にする。
【０００７】
現在の無線通信システムとの通信は、例えば、そのようなシステムへのアクセスは一般的に前もってアクセス合意を整えることを必要とし及び／又はそのようなシステムへのコネクションは固定コネクション・パラメータを有するので、制限される。それゆえ、無線通信システムにアクセスするための改善された装置及び方法が望まれる。
【発明の概要】
【０００８】
以下は、そのような態様の基本的な理解を提供するために、１又は複数の態様の簡略化された概要を示す。この概要は、すべての予期される態様の外延的な概要であるというわけではなく、また、すべての態様の鍵となる又は重要な要素を識別することも、一部又は全部の態様の範囲を線引きすることも、いずれも意図されていない。その唯一の目的は、後で示されるより詳しい説明への前置きとして１又は複数の態様の幾つかの概念を簡略化された形で提示することである。
【０００９】
１又は複数の態様とその対応する開示に従って、クライアントのために通信セッションにモバイル・アクセスを容易にすることに関連して様々な態様が説明される。一つの態様に従って、クライアントのために通信セッションへのモバイル・アクセスを容易にする方法が提供される。この方法は、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信することと、前記クライアントから、前記ＭＮＯのセットのうちの少なくとも一つのＭＮＯに関連するクライアント・コネクション・パラメータを受信することと、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成することと、前記少なくとも一つのオプションに基づいて、選択された通信セッションを確立することを含むことができる。
【００１０】
他の態様は、装置に関係する。本装置は、モバイル仮想ネットワーク・オペレータ（ＭＶＮＯ）（該ＭＶＮＯは、モバイル・ネットワーク・オペレータ（ＭＮＯ）のセットに関連する）において、前記クライアントからアクセス・リクエストを受信し、前記クライアントから、前記ＭＮＯのセットのうちの少なくとも一つのＭＮＯに関連するクライアント・コネクション・パラメータを受信するように動作可能なアクセス・モジュールと、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成し、前記少なくとも一つのオプションに基づいて、選択された通信セッションを確立するように動作可能なコネクション・モジュールとを含むことができる。
【００１１】
さらにもう一つの態様は、クライアントのために通信セッションへのアクセスを容易にするように構成される少なくとも一つのプロセッサに関係する。本少なくとも一つのプロセッサは、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための第１のモジュールと、前記クライアントから、前記ＭＮＯのセットのうちの少なくとも一つのＭＮＯに関連するクライアント・コネクション・パラメータを受信するための第２のモジュールと、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための第３のモジュールと、前記少なくとも一つのオプションに基づいて、選択された通信セッションを確立するための第４のモジュールことを含むことができる。
【００１２】
さらに他の態様は、コンピュータ読み取り可能な媒体を含むコンピュータ・プログラム製品に関係する。本コンピュータ読み取り可能な媒体は、コンピュータに、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信させるための第１のコード・セットと、コンピュータに、前記クライアントから、前記ＭＮＯのセットのうちの少なくとも一つのＭＮＯに関連するクライアント・コネクション・パラメータを受信させるための第２のコード・セットと、前記コンピュータに、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成させるための第３のコード・セットと、前記コンピュータに、前記少なくとも一つのオプションに基づいて、選択された通信セッションを確立させるための第４のコード・セットとを含むことができる。
【００１３】
さらにもう一つの態様は、装置に関係する。本装置は、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための手段と、前記クライアントから、前記ＭＮＯのセットのうちの少なくとも一つのＭＮＯに関連するクライアント・コネクション・パラメータを受信するための手段と、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための手段と、前記少なくとも一つのオプションに基づいて、選択された通信セッションを確立するための手段とを含むことができる。
【００１４】
さらに、１又は複数の態様とその対応する開示に従って、モバイル仮想ネットワーク・オペレータを通した通信セッションへのクライアントのためのアクセスを容易にすることに関連して様々な態様が説明される。一つの態様に従って、モバイル仮想ネットワーク・オペレータを通した通信セッションへのクライアントのためのアクセスを容易にする方法が提供される。本方法は、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信することと、前記ＭＮＯのセットのうちの少なくとも一つに関連するクライアント・クライアント・コネクション・パラメータから送信することと、前記ＭＮＯのセットのうちの選択されたＭＮＯに関連するネットワーク上で選択された通信セッションを確立することを含むことができる。
【００１５】
他の態様は、装置に関係する。本装置は、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信し、前記ＭＮＯのセットのうちの少なくとも一つに関連するクライアント・クライアント・コネクション・パラメータから送信するように動作可能な送信モジュールと、前記ＭＮＯのセットのうちの選択されたＭＮＯに関連するネットワーク上で選択された通信セッションを確立するように動作可能なコネクション・モジュールを含むことができる。
【００１６】
さらにもう一つの態様は、モバイル仮想ネットワーク・オペレータへのクライアントのためのアクセスを容易にするように構成される少なくとも一つのプロセッサに関係する。本少なくとも一つのプロセッサは、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための第１のモジュールと、前記ＭＮＯのセットのうちの少なくとも一つに関連するクライアント・クライアント・コネクション・パラメータから送信するための第２のモジュールと、前記ＭＮＯのセットのうちの選択されたＭＮＯに関連するネットワーク上で選択された通信セッションを確立するための第３のモジュールとを含むことができる。
【００１７】
さらに他の態様は、コンピュータ読み取り可能な媒体を含むコンピュータ・プログラム製品に関係する。本コンピュータ読み取り可能な媒体は、コンピュータに、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信させるための第１のコード・セットと、コンピュータに、前記ＭＮＯのセットのうちの少なくとも一つに関連するクライアント・クライアント・コネクション・パラメータから送信させるための第２のコード・セットと、前記コンピュータに、前記ＭＮＯのセットのうちの選択されたＭＮＯに関連するネットワーク上で選択された通信セッションを確立させるための第３のコード・セットとを含むことができる。
【００１８】
さらにもう一つの態様は、装置に関係する。本装置は、クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための手段と、前記ＭＮＯのセットのうちの少なくとも一つに関連するクライアント・クライアント・コネクション・パラメータから送信するための手段と、前記ＭＮＯのセットのうちの選択されたＭＮＯに関連するネットワーク上で選択された通信セッションを確立するための手段とを含むことができる。
【００１９】
前述の目的及び関係する目的の達成のために、１又は複数の態様は、以下に十分に説明され、特に特許請求の範囲において指摘された特徴を包含する。以下の説明及び添付された図面は、１又は複数の態様の幾つかの説明的な特徴を説明する。これらの特徴は、しかし、様々な態様の原理が使用されることのできる様々な方法のうちのほんの数例を示す。また、この説明は、すべてのそのような態様及びそれらの均等物を含むことが意図される。
【００２０】
開示される態様は、該開示される態様を説明するために且つ制限しないために提供される添付の図面と併せて以下で説明される。以下の図面において、同様の名称は同様の要素を示す。
【図面の簡単な説明】
【００２１】
【図１】図１は、ＭＶＮＯを通して容易にされる通信セッションに対するアクセスをクライアントに提供することができる例示的な通信システムのブロック図を示す。
【図２】図２は、説明される態様に従って、クライアント宛先デバイスとの通信セッションを確立するように動作する例示的な通信システムのブロック図を示す。
【図３】図３は、説明される態様に従って、インターネット宛先デバイスとの通信セッションを確立するように動作する例示的な通信システムのブロック図を示す。
【図４Ａ】図４Ａは、クライアントが隣接ノードのための通信セッションのセットアップを支援する例示的な通信システムのブロック図を示す。
【図４Ｂ】図４Ｂは、クライアントが隣接ノードからの支援で通信セッションを開始するのを可能にできる例示的な通信システムのブロック図を示す。
【図５】図５は、ＭＶＮＯのブロック図の例示的なアーキテクチャーである。
【図６】図６は、クライアントのブロック図の例示的なアーキテクチャーである。
【図７】図７は、ＭＶＮＯを通した通信セッションの確立及び利用のためのプライシングのための例示的な方法を表す。
【図８Ａ】図８Ａは、ホスト・ネットワーク機能に関連した更なる機能を提供するための例示的な方法である。
【図８Ｂ】図８Ｂは、タスク割り当て（allocation）又は割り当て（assignment）に関連した更なる機能を提供するための例示的な方法である。
【図９】図９は、図１のシステムのコールフローの一態様のコールフローダイアグラムである。
【図１０】図１０は、ＭＶＮＯを通した通信セッションの確立に関連したオペレーションを容易にすることができる例示的な通信システムのブロック図を表す。
【図１１】図１１は、一つの態様に従って、例示的な多元接続無線通信システムを示す。
【図１２】図１２は、例示的な通信システムのブロック図を表す。
【詳細な説明】
【００２２】
さて、様々な態様が図面を参照して説明される。以下の記述では、説明の目的のために、多数の特定の細部が、１又は複数の態様の深い理解を与えるために説明される。しかし、そのような（１又は複数の）態様がこれら特定の細部なしに実施され得ることは明らかであろう。
【００２３】
無線プラットホームは、単一ユニットに組み込まれたマルチ無線システムを含んでも良い。そのようなマルチ無線システムの一つの特徴は、非常に多数の無線ネットワークにアクセスする（潜在的に様々な周波数上で多数の無線プロトコルを利用する）能力であろう。例えばシステム負荷及びコネクション・リンク品質のような様々な無線ネットワークに関する動作特性は、所定のネットワークについて時間の関数として変化することができる。したがって、クライアントのためのヘテロジーニアス（heterogeneous）無線ネットワーク・アクセスを有利に可能にするための様々なアーキテクチャーが本明細書で詳述される。特に、その様々なアーキテクチャーは、全体的なネットワーク効率及び利用のための改善されたコスト削減を容易にすることができる。
【００２４】
一つの態様において、ヘテロジーニアス無線ネットワーク・アクセスは、ヘテロジーニアス・モバイル仮想ネットワーク・オペレータ（仮想移動体通信事業者、mobile virtual network operator）（ＭＶＮＯ）を手段として、クライアントに提供できる。ヘテロジーニアスＭＶＮＯ（本明細書でＭＶＮＯとも呼ばれる）は、クライアントに対してとりわけ無線通信サービスを提供する無線通信市場の当事者（participant）であるが、それでも、一般的には、スペクトルの周波数割り当ての保有者（holder）、所有者（owner）又は被認可者（licensee）ではない。さらに、ＭＶＮＯはは、一般に、無線サービス又は機能を直接提供するためのインフラストラクチャーの全部又は重要な部分が欠如している。対照的に、独立したモバイル・ネットワークを運営するための十分なインフラストラクチャーだけでなく免許を受けた周波数割り当てを有する無線通信市場の当事者は、一般的に、モバイル・ネットワーク・オペレータ（ＭＮＯ）として知られ、本明細書ではそのように呼ばれる。ＭＶＮＯは、独立したクライアント基盤を有することができ、また、ＭＮＯに関連する製品又はサービスの全部又は一部を提供することができるが、該ＭＶＮＯは、インフラストラクチャーをサポートするためにＭＮＯを利用しても良い。通常、ＭＶＮＯは、大量に資源を購入して、これらの資源をそれ自身のクライアントに再販する。本質的には、ＭＶＮＯは、伝統的な固定電話市場（landline telephone market）の“スイッチをもたない再販業者（switchless resellers）”と類似していることがある。ここで、スイッチをもたない再販業者は、大きな長距離会社から、分を大量に購入し、そして、それら分をそれら自身のクライアントに再販する。
【００２５】
それゆえ、ＭＶＮＯは、通常、モバイル仮想ネットワークをセットアップするために、無線周波数の免許を受けるのではなく、むしろ無線周波数をＭＮＯからリースする。ＭＮＯは、免許を受けたスペクトルにおいて及び／又は免許のない（unlicensed）スペクトルにおいてオペレートしても良い。しかし、ＭＶＮＯは、例えば、周波数がリースされる元のＭＮＯのＳＩＭカードとは異なることができる独立したＳＩＭカードを有することができるという意味では、そのような仮想ネットワークは、本物の（genuine）ＭＮＯと類似しているか又は同一でさえあるものとして、クライアントには見える。認められるように、一つの地理的領域中のＭＮＯ（まだ他の地理的領域中の周波数スペクトル割り当てをもたない）は、他の領域中のＭＶＮＯとしてオペレートしても良い。
【００２６】
本明細書で使用されるＭＶＮＯは、ヘテロジーニアスＭＶＮＯを含んでも良い。ヘテロジーニアスＭＶＮＯは、ホストＭＮＯが利用するモバイル技術のうちの実質的に任意のもの（例えば、ＣＤＭＡ、ＧＳＭ（登録商標）、ＵＭＴＳ、Ｗｉ−Ｆｉ、ＷｉＭａｘなどのうちの一つ又は任意の組み合せなど）を使用してオペレートすることができる。さらに、ＭＮＯは、ライセンス免許を受けたスペクトルにおいて及び／又は免許のないスペクトルにおいてオペレートしても良い。それゆえ、ＭＶＮＯは、複数の通信技術のうちの任意の一つ及び複数の通信プロトコルのうちの任意の一つに基づく通信セッションを可能にしても良い。
【００２７】
ＭＶＮＯとホスティングＭＮＯとの間に存在する役割と関係は、ＭＮＯとＭＶＮＯの市場、地方、又は個々の特徴若しくは状況によって、変化し得る。一般に、ＭＶＮＯは、ホスティングＭＮＯと独立して稼動する事業体（entity）又は会社であり、ホスティングＭＮＯと同意済みのレートを前提として、それ自身の価格体系（pricing structures）を設定することができる。上で言及されたように、ＭＶＮＯは、一般的に、ＧＳＭ、ＣＤＭＡ又は特定の領域における他のコア・モバイル・ネットワーク関係のインフラストラクチャー（例えば、モバイル・スイッチング・センター（ＭＳＣ）、無線アクセスネットワークなど）を所有しない。しかし、ＭＶＮＯが、クライアント・モバイル電話の番号又はＭＳＩＳＤＮ（例えば、移動局国際加入者ディレクトリ番号（Mobile Station International Subscriber Directory Number））の所有及びより多くの柔軟性を可能にするホーム・ロケーション・レジスタ（home location register）（ＨＬＲ）を所有することはまれでない。そのような場合、ＭＶＮＯは、海外での他のネットワークのローミング・パートナーのように及びそれ自身の領域内のホスト・ネットワークのように見える。時折、ＭＶＮＯは、モバイル仮想ネットワーク・イネーブラ（mobile virtual network enabler）（ＭＶＮＥ）により容易にされる（ＢＳＳ（ビジネス・サポート・システム）として知られている）請求及び顧客ケア・ソリューション（billing and customer care solutions known）を独立して提供する。ＭＶＮＥは、一般的に、インフラストラクチャー及びサービスをＭＶＮＯに提供するが、一般に、例えばＭＶＮＯのクライアントのようなエンドユーザ顧客との関係を有しない。
【００２８】
それゆえに、ＭＶＮＯ（例えば、ヘテロジーニアスＭＶＮＯ）を手段としてクライアントにヘテロジーニアス無線ネットワーク・アクセスを提供する際に、ＭＶＮＯが、周波数割り当て、インフラストラクチャーなどについて、複数の異なる無線キャリア又は他のプロバイダ（例えば、ＭＮＯのような）へのアクセスに依存し又はそれを利用することは、容易に理解される。さらに、モバイル・クライアント・デバイス（例えば、セルラー電話）が、ＭＶＮＯに利用できるＭＮＯのセット又はサブセットのうちの任意のものに接続するように構成されることができることはまた容易に認識できる。実際には、クライアント・デバイスは、クライアントによりローカル無線キャリア・ネットワーク（例えば、ＭＮＯ）に対して提供される信用証明書（credentials）を使って認証することができる。そして、これらの信用証明書は、ＭＶＮＯにフォワードされることができる。それゆえ、クライアントは、ＭＶＮＯに登録され、そして、ＭＶＮＯにより認証されることができる。
【００２９】
さらにまた、一つの態様において、セッションのためのプライシングは、ネットワーク中のシステム負荷及び／又はクライアントに関連するリンク品質に動的に基づくことができる。例えば、クライアントに関連して重い負荷の下で及び悪いリンク品質で、キャリアは、クライアントを、より負荷が少ない可能性がある及び／又はより良いリンク品質を提供する可能性がある異なるキャリア・ネットワークに割り当てるように、ＭＶＮＯに対して要求することを選択しても良い。さらに、これらのオプションを提供することはまた、重い負荷のキャリアがより生産的な方法で利用できる資源をクライアントに最適に割り当てることができるように、より効果的なスペクトル利用を支援することができる。さらに、１又は複数のＭＮＯのための１又は複数の異なるネットワークは、最適スペクトル利用について統計的に多重化されることができる。
【００３０】
一つの態様において、制御及びデータ・フローの全体又は一部は、ＭＶＮＯにより管理されるサーバに対するトンネリングにより管理されることができる。したがって、ハンドオフは、ＭＶＮＯサーバにより管理されることができる。そのようなハンドオフは、二つの異なるＭＮＯキャリア全体にわたってオペレートすることができ、又は、例えば単一キャリア内で基地局又はアクセスポイントを変更するときなどのように、単一のＭＮＯネットワークの中でオペレートすることができる。他の態様において、制御情報は、セッション開始のためにＭＶＮＯへパスされることができ、続いて、すべてのデータ・フローは、ＭＶＮＯへ伝播する必要なく、キャリア・ネットワークから例えばインターネットへ直接トラバースすることができる。
【００３１】
様々な態様において、クライアントは、キャリア／ＭＮＯを選択するオプションを提供されることができる。ここで、使用できる選択肢は、クライアント及び／又はＭＶＮＯにより検索されるコネクション・パラメータに少なくとも部分的に基づいている。さらにまた、サービスのコストは、ネットワークにおけるシステム負荷、リンク品質及び／又は全体的な能力（例えば、異なる無線システムは異なる能力を有することができる）の関数として判定されることができる。あるいは、ＭＶＮＯは、潜在的にクライアント及び／又はＭＶＮＯにより検索されるコネクション・パラメータに少なくとも部分的に基づいて、ＭＮＯを選択することができる。クライアントは利用可能なキャリア／ＭＮＯのサブセットのみを利用するように構成されることができることは認識されるべきである。そのような場合には、利用可能なＭＮＯの選択は、それに応じて縮小されても良い。
【００３２】
通常、クライアントは、無線利用可能な技術に少なくとも部分的に基づいて、利用可能なネットワークを探しても良い。クライアントは、ネットワーク利用情報を得るために、それらの負荷に関してネットワークに問い合わせをしても良い。さらに、クライアントは、利用可能なネットワーク及び該利用可能なネットワークに関するリンクの品質を、サーバにレポートしても良い。そして、クライアントは、クライアント・コネクション・パラメータをＭＶＮＯに提供するとともに、ヘテロジーニアスＭＶＮＯからのサービスをリクエストしても良い。ＭＶＮＯサーバは、様々なネットワークに関連する様々なコストを有しても良く、また、クライアントに関連する地理的エリアにおいて、より低いコストのサービスをもつネットワークを選択しても良い。さらに、ＭＶＮＯサーバは、利用できるネットワークに関する負荷情報を有しても良く、また、低減された負荷を有する一つのネットワーク又は１セットのネットワークを選択しても良い。その後、ＭＶＮＯは、可能なネットワークをクライアントに割り当てても良く、及び／又は、ＭＶＮＯは、クライアント・トラフィックが統計的に多重化され得る一つのネットワーク又は１セットのネットワークを選ぶかもしれない。一つの態様において、ＭＶＮＯから得られる情報を使用して、クライアントは、ＭＶＮＯにより推奨されるネットワークのうちの一つのネットワーク又は１セットのネットワークに接続しても良い。コネクションの最終的な最適化は、ＭＶＮＯにおいて及び／又はクライアントにおいて、なされても良い。
【００３３】
さて、図１を参照して、ＭＶＮＯにより容易にされる通信セッションへのアクセスをクライアントに提供することができる例示的なシステム１００が表される。通常、システム１００は、様々な機能及びサービスを１又は複数のクライアント（例えば、クライアント１０４）に提供することができるＭＶＮＯ１０２を含むことができる。一つの態様において、ヘテロジーニアス無線ネットワーク・アクセスは、ＭＶＮＯ１０２（例えば、ヘテロジーニアスＭＶＮＯ）を手段としてクライアントに提供されても良い。ここで、ＭＶＮＯは、複数の異なる無線キャリア又は他のプロバイダーからＭＮＯへのアクセスに依存し又はそれを利用しても良い。さらにまた、ヘテロジーニアスＭＶＮＯは、様々な異なるプロトコルを使用するＭＮＯへのアクセスに依存し又はそれを利用しても良い。上で説明されたように、ＭＶＮＯ（例えば、ＭＶＮＯ１０２）は、一般に、無線周波スペクトルの周波数割り当ての保有者、所有者又は被認可者ではなく、また、機能又はサービスを提供するためにインフラストラクチャーを管理又は維持しなくても良い。したがって、ＭＶＮＯ１０２は、本明細書において集合的に又は個別にＭＮＯ１０６と呼ばれる利用可能なＭＮＯのセットから、ホスティングＭＮＯを利用することができる。
【００３４】
それゆえ、オペレーションにおいて、クライアント１０４は、例えばサード・パーティー１１０との通信セッション１０８を確立しようとするとき、たとえクライアント１０４がＭＮＯ１０６よりもむしろＭＶＮＯ１０２に関連するとしても、ＭＮＯ１０６は、通信セッション１０８のために無線周波スペクトル及びインフラストラクチャーを提供することができる。サード・パーティー１１０は、例えば通信セッションがデータコールを含むような場合に、ウェブサイトなど（例えば、検索エンジン、ニュース・サイトなど）を含んでも良く、又は、例えば通信セッションがボイスコールを含むような場合に、他のクライアント・デバイス（例えば、セルラー電話、固定電話など）を含んでも良い。一つの態様において、ＭＮＯ１０６は、クライアント１０４からクライアント信用証明書を受信することができ、また、ＭＶＮＯ１０２にそれらの信用証明書をフォワードすることができる。その後、ＭＶＮＯ１０２は、ＭＮＯ１０６の資源を使用して通信セッション１０８を確立するために、クライアント１０４を認証することができる。
【００３５】
一旦、通信セッション１０８が確立されたならば、クライアント１０４が、ＭＮＯ１０６を介して提供される通信セッション１０８を通して直接サード・パーティー１１０とインタラクトするにつれて、ＭＶＮＯ１０２の役割は、最小限(de minimis）になっても良い。他の態様において、制御情報は、セッション開始のためにＭＶＮＯ１０２へパスされることができ、続いて、すべてのデータ・フローは、ＭＶＮＯ１０２へ伝播する必要なく、サービングＭＮＯ１０６（例えば、キャリア・ネットワーク）からサード・パーティー１１０へ直接トラバースすることができる。言い換えると、ＭＶＮＯ１０２は、認証し、クライアント１０４がＭＮＯ１０６（いずれの無線ネットワーク、使用すべきいずれの周波数、いずれのキャリア）を選択するのを支援するノードである。一旦、クライアント１０４が通信することができるネットワーク（例えば、ＣＤＭＡ２０００、ＵＭＴＳ、ＬＴＥなど）上の所定のＭＮＯ１０６（例えば、ＡＴ＆Ｔ、ベライゾン、スプリントなど）との通信セッション１０８が確立されると、データは、クライアント１０４からＭＮＯ１０６へサード・パーティー１１０宛先（例えば、インターネット（例えば、データ・セッションについて）又はネットワーク中の何らかの他のノード（例えば、音声通話について））へ直接流れることができる。したがって、クライアント１０４が通信セッション１０８を確立するのを支援した後に、ＭＶＮＯ１０２は、通信セッション１０８に従事しないことがあるが、場合によっては、通信セッション１０８の間に、ＭＮＯ１０６とＭＶＮＯ１０２との間に何らかの通信が存在しても良い。それゆえ、ＭＶＮＯ１０２は、通信セッション１０８のイネーブラであるが、一旦、通信セッション１０８が確立されたならば、通信セッション１０８のデータはＭＶＮＯ１０２をバイパスすることができ、そのようにして、クライアント１０４は、ＭＶＮＯ１０２にもはやアクセスしていない。
【００３６】
他の態様において、制御及びデータ・フローの全体又は一部は、ＭＶＮＯ１０２により管理されるサーバに対するトンネリングにより管理されることができる。したがって、ハンドオフは、ＭＶＮＯサーバで管理されることができる。そのようなハンドオフは、二つの異なるＭＮＯキャリア全体でオペレートすることができ、及び／又は、例えば単一キャリア内で基地局又はアクセスポイントを変更するときのように、単一のＭＮＯネットワークの中でオペレートすることができる。
【００３７】
図２及び３を参照して、システムアーキテクチャの例は、説明される態様に従ってオペレートするシステムについて説明される。ここで、図２は、結果として生じる通信セッション１１８がクライアント１０４と宛先デバイス１２０との間でボイスコールを運ぶシナリオを表し、図３は、結果として生じる通信セッション１２８がクライアント１０４と例えばインターネット宛先デバイス１３０（例えば、ウェブサーバ）との間でデータコールを運ぶを表すシナリオを表す。
【００３８】
図２中に表されるように、クライアント１０４は、宛先デバイス１２０との通信セッション１１８を確立するために、ヘテロジーニアスＭＶＮＯ１０２とインタラクトしても良い。第１のＭＮＯ（例えば、ＭＮＯ（１））を第２のＭＮＯ（例えば、ＭＮＯ（３））に接続する通信セッション１１８は、インフラストラクチャー接続性バックボーン（infrastructure connectivity backbone）１２２を通して可能にされている。表されるように、ＭＶＮＯは、多数の可能なＭＮＯ１０６から選択しても良い。一つの態様において、ＭＶＮＯは、複数のＭＮＯ１０６及び／又はクライアント１０４及び宛先デバイス１２０の間の通信を容易にするために、通信セッション１０８を設定する。一旦、通信セッション１１８が確立されたならば、クライアント１０４が、ＭＮＯ１０６及びインフラストラクチャー接続性バックボーン１２２を介して提供される通信セッション１０８を通して直接宛先デバイス１２０とインタラクトするにつれて、ＭＶＮＯ１０２の役割は、最小限になっても良い。
【００３９】
図３中に表されるように、クライアント１０４は、インターネット宛先デバイス１３０との通信セッション１２８を確立するために、ヘテロジーニアスＭＶＮＯ１０２とインタラクトしても良い。通信セッション１２８は、インターネット１２２及びＭＮＯ（１）を含むネットワークを通して可能にされている。一つの態様において、ＭＶＮＯは、選択されたＭＮＯ１０６を通してインターネット１３２へのクライアントのアクセスを容易にする。表されるように、ＭＶＮＯは、多数の可能なＭＮＯ１０６から選択しても良い。一旦、通信セッション１２８が確立されたならば、クライアント１０４が、ＭＮＯ１０６及びインフラストラクチャー接続性バックボーン１２２を介して提供される通信セッション１０８を通して直接宛先デバイス１２０とインタラクトするにつれて、ＭＶＮＯ１０２の役割は、最小限になっても良い。
【００４０】
図４Ａを参照して、クライアント１０４が隣接ノード４１０のための通信セッション１０８のセットアップを支援する他の態様が説明される。この場合、クライアント１０４は、ＭＶＮＯ１０２とインタラクトして、ＭＮＯ１０６との通信セッションを確立する能力を有し、また一方、隣接ノード４１０は、この能力を有しないが、クライアント１０４と通信することができる。例えば、隣接ノード４１０はその通信システムに関して新しい場合があり或いはビジターである場合があり、それゆえ、ＭＶＮＯ１０２との通信を可能するための又はＭＮＯとの通信セッションを確立するための適切な認可、通信ソフトウェア、通信プロトコルなどを有しない場合がある。そのように、クライアント１０４は、ＭＮＯ１０６と交渉して該ＭＮＯ１０６との通信セッション１０８を取得するために、隣接ノード４１０がＭＶＮＯ１０６と通信するヘルパーとして動作し、又は、オプションとして、クライアント１０４は、隣接ノード４１０の代わりに通信セッション１０８について交渉し取得しても良い。いずれにしても、隣接ノード４１０は、最終的に、ＭＶＮＯ１０２と連絡を取るための及びＭＮＯ１０６との通信セッション１０８を確立するための適切な情報を受信する（すべてはクライアント１０４により容易にされる）。さらに、クライアント１０４は、そのような支援を提供するために、隣接ノード４１０から、及び／又は、ＭＶＮＯ１０２及び／又はＭＮＯ１０６から、何らかの形の報酬（例えば、支払い又はクレジット）を受信しても良い。
【００４１】
例えば、表された態様において、クライアント１０４は、ＭＮＯ１０６により確立される通信セッション１０８を介したサード・パーティー１１０へのアクセスを容易にするために、アクセス可能化情報（access enabling information）４１２を、隣接ノード４１０と交換する。クライアント１０４は、隣接ノード４１０が、サード・パーティー１１０にアクセスするためにＭＮＯ１０６を介した通信セッション１０８を確立することを許すために、実際に、アクセス可能化情報４１２を提供することによって、通信セッション１０８を隣接ノードに販売しても良い。プロセスを開始するために、隣接ノード４１０は、装置識別情報（例えば、ＩＭＥＩ（国際移動装置識別番号（International Mobile Equipment Identifier））及びＷＷＡＮ通信に関するその能力を、クライアント１０４に提供しても良い。オプションとして、隣接ノード４１０は、該隣接ノード４１０が通信可能な特定のＭＮＯのリスト及びオプションとして該特定のＭＮＯに関して該隣接ノード４１０により測定されるリンク品質情報を提供しても良い。そのような情報の全部又は一部は、クライアント１０４によりＭＶＮＯサーバ１０２へ通信されることができる（例えば隣接ノード４１０の代わりのアクセス要求などにおいて）。この時点で、クライアント１０４は、隣接ノード４１０がＭＶＮＯ１０２と交渉するのを許すブリッジとして動作しても良いし、あるいは、クライアント１０４は、交渉を実行し、その結果を隣接ノード４１０にレポートしても良い。例えば、隣接ノード４１０がＭＶＮＯ１０２と通信するのを可能にするために、クライアント１０４は、隣接ノード４１０による使用のために、ＭＶＮＯサーバ１０２から、一時的なＩＭＳＩ（国際移動加入者識別番号（International Mobile Subscription Identifier））（一時移動加入者識別番号（temporary mobile subscriber identity）（ＴＭＳＩ）としても知られている）を受信しても良い。さらに、クライアント１０４は、隣接ノード４１０に、ＭＶＮＯサーバ情報（例えば、ＭＶＮＯサーバのためのＩＰアドレス、ＭＶＮＯサーバと通信するためのトンネリングプロトコル、ＭＶＮＯサーバと通信するための暗号化キー、使用すべき１又は複数のＷＷＡＮ通信技術、使用すべき１又は複数の利用可能なネットワークなど（ただし、それらに制限されない））（それは、例えば、すでにクライアント１０４に知られていたものでも良く及び／又はＭＶＮＯ１０２から伝えられたものでも良い。）を提供しても良く、それで、隣接ノード４１０は、どのようにしてＭＶＮＯ１０２と通信するべきかについて分る。クライアント１０４により隣接ノード４１０に対して提供されるこの情報の全部又は一部は、アクセス可能化情報４１２と呼ばれることがある。それから、隣接ノード４１０は、それ自身を認証するために及び通信セッション１０８の確立を要求するために、利用できるＭＮＯ１０６を介して、ＭＶＮＯ１０２との通信においてアクセス可能化情報４１２を利用しても良い。例えば、ＭＶＮＯサーバ情報に基づいて、隣接ノード４１０は、互換性を持つＷＷＡＮ通信技術などを使用して、アクセス・リクエスト（そのＩＭＥＩ、受信されたＴＭＳＩ、及び、ＭＶＮＯサーバ情報の少なくとも一部分を含む）を、その利用できる��ＮＯ１０６に与えても良い。その後、ＭＶＮＯサーバ情報に基づいて、該利用できるＭＮＯは、隣接ノード４１０が通信セッションについて交渉するためにＭＶＮＯサーバ１０２と通信できるようにする。ＩＭＥＩ及びＴＭＳＩを使用して、ＭＶＮＯサーバ１０２は、隣接ノード４１０を認証し、ホストＭＮＯ１０６（それは該利用できるＭＮＯ又は異なるＭＮＯであっても良い）によりサービスされる通信セッション１０８を確立するのを支援する。そのように、クライアント１０４は、アクセス可能化情報４１２を、隣接ノード４１０に提供する。それは、隣接ノード４１０が、ＭＶＮＯ１０２との交渉に基づいて、ホスティングＭＮＯ１０６との通信セッション１０８を確立できるようにする。
【００４２】
図４Ｂ中に表される他の態様において、クライアント１０４が隣接ノード４２０からアクセス可能化情報４２２を受信する（アクセス可能化情報４２２は、クライアント１０４がサード・パーティー１１０との通信セッション１０８を確立できるようにする）図４Ａとは反対のシナリオが起こっても良い。この場合、隣接ノード４２０は、ＭＶＮＯ１０２にアクセスして、ＭＮＯ１０６との通信セッションを確立することができ、これに対して、クライアント１０４は、最初に、そのような能力を有しない。そのような態様において、例えば、クライアント１０４は、実際に、通信セッション１０８を隣接ノード４２０から購入しても良く、それによって、隣接ノード４２０は、ホスティングＭＮＯ１０６へのアクセス及びサード・パーティー１１０との通信セッション１０８の確立を可能にするために、（図４Ａのアクセス可能化情報４１２と同様の）アクセス可能化情報４２２をクライアント１０４へ提供する。
【００４３】
図４Ａ及び４Ｂの他の態様において、情報を購入するよりはむしろ、隣接ノード４１０（図４Ａ）又はクライアント１０４（図４Ｂ）は、その代わりに、サード・パーティー１１０と通信するためのＭＮＯ１０６との通信セッション１０８の確立を容易にするために、それぞれのアクセス可能化情報４１２又は４２２を借りても良い。
【００４４】
さらに、アクセス可能化情報４１２，４２２は、接続性ソフトウェア（connectivity software）によって生成される一時的な信用証明書、一時的な国際移動加入者識別番号（International Mobile Subscriber Identity）（ＩＭＳＩ）、ＭＶＮＯサーバ情報、ＷＷＡＮプロトコル情報、利用可能ネットワーク情報又は更なるソフトウェアを含む（ただし、これらに制限されない）点に留意されるべきである。動作中において、隣接ノード４１０，４２０とクライアント１０４との間の通信は、２ノード間の無線通信リンク、ポイントツーポイント・リンクなどの上で起こっても良い。
【００４５】
更に図１を参照すると同時に図５も参照して、ＭＶＮＯ１０２の例示的なアーキテクチャーが説明される。ＭＶＮＯ１０２は、本明細書で説明されるサブコンポーネントの全部又は一部を含むことができ、また、クレームされた主題に従って無線通信を容易にするための他の適したコンポーネント、モジュール又はデバイスを含むこともできることは、認識されるべきである。一般に、ＭＶＮＯ１０２は、アクセス・モジュール５０２、プライシング・モジュール５２４及びコネクション・モジュール５２６を含むことができる。アクセス・モジュール５０２は、クレデンシャル・マネージャー５２２を含むことができ、また、アクセス・リクエスト５０４を受信することができる。
【００４６】
アクセス・リクエスト５０４は、クライアント（例えばクライアント１０４のような）に関連することができ、また、クライアント信用証明書、クライアント選好（client preferences）及びクライアント・コネクション・パラメータ群５３０を含んでも良い。クライアント１０４が通信セッション（例えば、通信セッション１０８（図１）のような）を確立しようとするとき、利用できるＭＮＯ１０６を介してクライアント１０４からＭＶＮＯ１０２へアクセス・リクエスト５０４が送信されても良い。クライアント信用証明書は、例えば、クライアント又は該クライアントについて許可されたサービスを識別するためのＩＭＥＩ、電話番号、トークンなどのような情報であっても良い。クライアント選好は、例えば、サービス品質閾値、要求スループット閾値などのような閾値（ただし、それらに制限されない）を含んでも良い。さらに、クライアント・コネクション・パラメータ群５３０（それは、以下に記すように、ＭＮＯ評価器５１２により利用されても良い）は、ＭＮＯのセットに関連しても良く、また、ＭＮＯのセットに関連する少なくとも一つのネットワークに関するネットワーク可用性（availability）、クライアントにおける局所負荷レベル（local load level）に基づくリンク利用（utilization）の推定、クライアント又はクライアントのユーザにより選択される要求サービス品質閾値、及び、ＭＮＯのセットに関連する少なくとも一つのネットワーク上で起こり得る通信セッション間のリンク品質のうちの１又は複数を含む（ただし、それらに制限されるものではない）。
【００４７】
ＭＮＯ１０６はインフラストラクチャーをホスト通信セッション１０８に提供するので、ＭＮＯ１０６はクライアント１０４からのアクセス・リクエスト５０４を最初の受信者となることができる点は認識されるべきである。ＭＮＯ１０６は、それから、アクセス・リクエスト５０４をＭＶＮＯ１０２へフォワードすることができる。それゆえ、アクセス・モジュール５０２は、直接クライアントからよりもむしろ、ＭＮＯからアクセス・リクエスト５０４を受信することができる。
【００４８】
クレデンシャル・マネージャー５０２は、通信セッション１０８について、アクセス・リクエスト５０４に付随し得るクライアント信用証明書に基づいて、クライアント１０４を認証又は拒否することができ、また、クライアント１０４にフォワードするために、ＭＮＯ１０６にレスポンスを送信しても良い。
【００４９】
プライシング・モジュール（価格設定モジュール、Pricing module）５２４はまた、プライス比較器（価格比較器、price comparator）５０６及びプライス調整器（価格調整器、price adjuster）５０８を含むことができる。プライス比較器５０６は、ネットワーク利用及び／又は通信セッションに関連する様々なプライシング情報（価格設定情報、pricing information）を収集することができる。したがって、幾つかの態様において、プライス比較器５０６は、利用できるＭＮＯのセットから、少なくとも一つのＭＮＯに関連するプライシング情報を、クライアント１０４に送信することができる。プライス比較器５０６により提供されるこの情報に基づいて、クライアント１０４は、通信セッションのために使用するＭＮＯを選択することができ、そして、ＭＮＯ評価器５１２は、最適な又は適切なＭＮＯを選択するためにクライアント１０４からの情報を使用することができる。
【００５０】
一つの態様において、コネクション・モジュール５２６は、ネットワーク・モニター５１０、ＭＮＯ評価器５１２、ハンドオーバー・モジュール５１４、データ・マネージャー５１６、制御マネージャー５１８及びインテリジェンス・コンポーネント５２０を含んでも良い。コネクション・モジュール５２６は、通信セッション１０８をセットアップ及び／又は維持及び／又はハンドオフ及び／又はターミネートする際の詳細を管理するように動作可能である。
【００５１】
ネットワーク・モニター５１０は、利用できるＭＮＯ１０６のセットに関連する１又は複数のネットワークをモニターすることができる。さらに、ネットワーク・モニター５１０は、個々の通信セッション１０８をモニターすることができる。より詳しくは、ネットワーク・モニター５１０は、ホスティングＭＮＯに関連するシステム負荷を判定することができる。さらに、ネットワーク・モニター５１０は、クライアント１０４のための通信セッション１０８に関連するリンク品質を判定することができる。さらに、幾つかの態様において、ネットワーク・モニター５１０は、上記セットからの少なくとも一つのＭＮＯ１０６に関するスペクトル利用を、潜在的に継続的に、観測（examine）及び／又はモニターすることができる。幾つかの態様において、様々なＭＮＯのためのネットワークは、統計的に多重化されることができる。そして、その結果は、利用できるスペクトルを最適に割り当てるために使用できる。ネットワーク・モニター５１０により受信、判定又は推論されるデータに基づいて、他の適切な情報に加えて、追加の機能が、プライス調整器５０８、ハンドオーバー・マネージャー５１４及びＭＮＯ評価器５１２により提供されることができる。
【００５２】
例えば、プライス調整器５０８は、通信セッション１０８のプライシングを判定するためにネットワーク・モニター５１０により判定される情報を利用することができる。例えば、ネットワーク・モニター５１０が、通信セッション１０８に関するリンク品質が劣っていると又はＭＮＯ１０６によりオペレートされるネットワークに関する負荷が予め定められた閾値を越えると判定するならば、通信セッション１０８のためのプライシングは、リンク品質がより良いかどうかに及び／又はシステム負荷が予め定められた閾値を越えないかどうかに比較して言えば、低減されることができる。
【００５３】
例えば、システムが、負荷又はリンク品質（例えば、ネットワーク・モニター５１０により判定される）に関するような、予め定められた閾値に達するとき、ハンドオーバー・マネージャー５１４は、通信セッションの間に、クライアント１０４を別の（second）ＭＮＯに切り替えるのを容易にすることができる。幾つかの態様においてＭＶＮＯ１０２が別のＭＮＯへの切り替えを開始することができることは認識されるべきである。加えて又は代わりに、元のホスティングＭＮＯは、切り替えをするために、リクエストをＭＶＮＯ１０２に送信することができる。いずれにしても、クライアント１０４を他のＭＮＯに切り替えるために、ハンドオーバー・マネージャー５１４は、ネットワーク・モニター５１０により提供される情報を利用するように構成されることができる。さらに、ハンドオーバー・マネージャー５１４は、リンク品質又はシステム負荷に関係しないハンドオーバー・イベントを管理することができるまた。例えば、ハンドオーバー・マネージャー５１４は、例えばクライアント１０４が位置を変更するときに、一つのキャリアから他のキャリアへ、又は、単一キャリア・ネットワーク内の一つのアクセスポイントから他のアクセスポイントへ、切り替えるのを容易にすることができる。
【００５４】
ＭＮＯ評価器５１２は、少なくとも一つのＭＮＯに関連するネットワーク上での通信セッションの選択において使用するための少なくとも一つのオプション５３２を定義することができ、又は、定義されたオプション５３２に基づいて、選択された通信セッション／ＭＮＯ５３４（例えば、通信セッションをホスティングするための最適の、最良の又は好ましいＭＮＯ）を判定することができる。一つの態様において、少なくとも一つのオプション５３２は、１又は複数のＭＮＯから利用可能な１又は複数の潜在的な通信セッションについて、例えばプライス、スループット、サービス品質、負荷などのようなパラメータのプロファイルを含んでも良い。さらに、ＭＮＯ評価器５１２は、ネットワークベース最適化ルール５３６及びクライアントベース最適化ルール５３８の一方又は両方を含んでも良い。それらの各々は、要求される結果（例えば、ネットワーク資源の使用を最小にする若しくはネットワーク負荷をバランシングするなどのような、ネットワークベースの最終値（end value）、又は、エネルギー／バッテリー消費を低減する若しくは要求サービス品質を提供する若しくは要求プライスを提供するなどのような、クライアントベースの最終値（end value））を達成するために、（１又は複数の）オプション５３２及び／又は選択された通信セッション／ＭＮＯ５３６の定義を導いても良い。例えば、（１又は複数の）オプション５３２及び／又は選択された通信セッション／ＭＮＯ５３４は、ネットワーク・モニター５１０により得られる情報（例えばＭＶＮＯコネクション・パラメータ群５２８のような）に少なくとも部分的に基づいても良いし、又は、クライアント・コネクション・パラメータ群５３０に少なくとも部分的に基づいても良いし、又は、ＭＶＮＯコネクション・パラメータ群５２８とクライアント・コネクション・パラメータ群５３０との組み合せに少なくとも部分的に基づいても良い。
【００５５】
例えば、ＭＮＯ評価器５１２は、上で説明された統計的な多重化に基づいて、利用できるスペクトルを最適に割り当てるために、ＭＮＯを選択することができる。さらに、ＭＮＯ評価器５１２は、システム負荷、リンク品質又はプライスに基づいて、ＭＮＯを選択することができる。場合によっては、クライアント１０４は、所定の領域におけるすべてのＭＮＯ及び／又はＭＶＮＯ１０２が利用できるＭＮＯのセットからのすべてのＭＮＯは利用することができないことがある点は認識されるべきである。それゆえ、ＭＮＯ評価器５１２は、クライアント１０４が利用できるＭＮＯの制限されたサブセットに基づいて、適切なＭＮＯを選択することができる。プライス比較器５０６に関連して下で更に詳述されるように、クライアント１０４は、通信セッションのために使用するＭＮＯを選択することができ、又は、その選択のための入力を与えることができる。一つの実施態様において、ＭＮＯ評価器５１２は、クライアント１０４がＭＮＯをホスティングするために選択することができるＭＮＯのセットを縮小（reduce）又は制限（narrow）することができ、及び／又は、選択のためにクライアント１０４に提供されるＭＮＯのリストからＭＮＯ群を除外することができる。
【００５６】
一つの態様において、ネットワーク・モニター５１０により得られる情報に潜在的に少なくとも部分的に基づいて、ＭＮＯ評価器５１２は、ＭＶＮＯコネクション・パラメータ・データ５２８を含んでも良い。このデータは、ＭＶＮＯにより利用できるＭＮＯから検索されても良い。例えば、ＭＶＮＯにより検索されるコネクション・パラメータ・データは、以下のうちの１又は複数を含んでも良い（ただし、これらに制限されない）：ＭＮＯのセットに関連する少なくとも一つのネットワークに関するネットワーク可用性、ＭＮＯのセットのうちの少なくとも一つにおける負荷レベルに基づくリンク利用の推定、ＭＮＯのセットに関連する少なくとも一つのネットワークに関するシステム負荷、及び、ＭＮＯのセットに関連するプライシング・オプション。
【００５７】
制限ではなく例として、リンク利用は、通信セッションのために使用されている無線チャネル上での利用のレベル又は負荷を指し示すことができる。動作中において、ＭＮＯのネットワーク・インフラストラクチャーに関連する無線バックホールは、地理的エリアにおける複数の基地局からのリンク利用をアグリゲートしても良い。ネットワーク・インフラストラクチャーにおけるより高水準のノードは、異なる地理的アリアからのトラフィックをアグリゲートしても良い。パフォーマンス・ボトルネックは、ネットワーク・インフラストラクチャー中のいずれかのレベルにおけるＭＮＯにおいて遭遇又は検出される可能性がある。対照的に、システム負荷は、ＭＮＯのネットワーク・インフラストラクチャーにおける全体的なネットワーク負荷を指し示しても良い。
【００５８】
動作中において、ＭＶＮＯは、それらのそれぞれのインフラストラクチャー中の異なるレベルにおけるそれらのそれぞれの負荷レベルに関して、異なるＭＮＯから情報を取得しても良い。一つの態様において、負荷が閾値を超えるならばプライシングが増加し得る場合に又はサービスが拒否される場合に、これらの負荷レベルに関連する閾値が存在しても良い。それら閾値は、それらのそれぞれの能力に少なくとも部分的に依存して、異なるＭＮＯについて異なっても良い。さらにまた、それら閾値は、それらのそれぞれのネットワーク・インフラストラクチャーにおいて、異なるレベルにおいて異なっても良い。一つの態様において、ＭＮＯは、そのネットワーク・インフラストラクチャー中の異なるレベルにおいてモニターされる異なるシステム負荷測定基準（metrics）を有しても良い。ＭＶＮＯは、そのような１又は複数の測定基準に可視性（visibility）を有しても良く、それから、それは、そのようなシステム負荷に基づいて特定のアクションをとるべきかどうか判定するために使用しても良い。
【００５９】
代わりに又は加えて、他の態様において、ＭＮＯ評価器５１２は、１又は複数のクライアント・コネクション・パラメータ群５３０を含んでも良い。そして、それはまた、通信セッション１０８（図１）のために使用するＭＮＯの選択を判定する際に利用されても良い。  上記したように、クライアント・コネクション・パラメータ群５３０は、例えばアクセス・リクエスト５０４などにおいて、クライアント１０４（図１）により提供されても良い。
【００６０】
一つの例において、ＭＶＮＯが６つのネットワークにアクセスするケースを考慮する（それは制限するものとして解釈されるべきではない）。これらの６つのネットワークのうち、クライアントは、最初の３つのネットワークのいずれでも利用することができる。ここで、ネットワーク１は、ＭＮＯ Ａにより提供され、ネットワーク３及び３は、ＭＮＯＢにより提供され、ネットワーク４は、ＭＮＯ Ｃにより提供される。ネットワーク４（例えば、ＭＮＯ Ｃ）は、非常に低下したリンク品質を有し、これに対して、ネットワーク１（例えば、ＭＮＯ Ａ）に関するリンク品質は、実質的に最適であり、ここで、ネットワーク３及び３（例えば、ＭＮＯ Ｂ）に関するリンク品質は、相対的に平均的であるが、クライアントの要求に対して十分に良好である更に仮定する。これらの制約に基づいて、ＭＶＮＯは、例えばＭＮＯ Ｃのネットワーク４上のプアな（poor）リンク品質に起因して、ＭＮＯ Ｃを除外することができる。ＭＶＮＯは、クライアントが位置する領域においてＭＮＯ Ａ及びＢにより提供されるネットワーク上の通信セッションをホスティングすることに関連するコストを更に調べることができる。そのＭＮＯ Ｂ（例えば、ネットワーク３及び３のプロバイダー）がより控え目に（modestly）価格を付けられると仮定すると、ＭＶＮＯは、ＭＮＯ Ａを除外（exclude）又は省略（omit）することができ、あるいは、クライアントに提供される選択のリストにおいてＭＮＯ Ａを維持することができるが、たとえクライアントがＭＮＯ Ａを選択するオプションを可能にするとしても、ＭＮＯ Ｂを推薦することができる。ＭＮＯ Ｂは、二つの異なるネットワーク、ネットワーク３及び３を有するので、これらのうちの一方は、同様に、他方の上にハイライトされる（又は除外される）ことができる。例えば、ネットワーク３が、より良いリンク品質を有し、より高いバンド幅をサポートすることができ、又は、より低いシステム負荷を有するなどであれば、ネットワーク３は、クライアントに推奨（suggested）又は推薦（recommended）されることができる。
【００６１】
さらに、制御マネージャー５１８は、通信セッションのための制御情報を受信し、管理することができる。一般的に、この制御情報は、ホスティングＭＮＯ１０６からＭＶＮＯ１０２にフォワードされるであろう。さらに、ＭＶＮＯ１０２は、通信セッション１０８のためのデータを受信及び管理することができるデータ・フロー・マネージャー５１６を含むことができる。それゆえ、幾つかの実施態様では、ＭＶＮＯ１０２は、通信セッション１０８のための制御及びデータ・フローを管理することができ、これに対して、他の実施態様では、ＭＮＯは、通信セッション１０８のためのデータ・フローを管理することができることは認識されるべきである、
さらに、インテリジェンス・コンポーネント５２０は、本明細書で説明される様々な推論又は判定を提供又は支援するために及び／又は本明細書で説明される様々な機能のために、ベージアンベースの確率閾値を使用することができ、及び／又は、機械学習技術を使用することができる。インテリジェンス・コンポーネント５２０は、ＭＶＮＯ１０２の１又は複数のコンポーネントに含まれることができ、又は、表されるように独立したコンポーネントであることができる。
【００６２】
したがって、本明細書で説明される多数の結論を提供又は支援するために、インテリジェンス・コンポーネント５２０は、利用できるデータの全部又はサブセットを調べることができ、また、イベント及び／又はデータを通して捕捉された一連の観測から、システム、環境及び／又ユーザの状態に関する推論（reasoning）を提供し又はそれを推論（infer）することができる。推論は、例えば、特定の状況（context）又はアクションを識別するために使用されることができ、あるいは、状態上の確率分布を生成することができる。推論は、確率的であることができる…すなわち、データ又はイベントの考慮に基づく対象の状態上の確率分布の計算であることができる。推論はまた、一連のイベント及び／又はデータから、よりハイレベルなイベントを構成するために使用される技術を指し示すことができる。
【００６３】
そのような推論は、一連の観測されたイベント及び／又は記憶されたイベントデータからの新たなイベント又はアクションの構築を、該イベントが緊密な時間的近接性において相関性があるかどうかにかかわらず且つ該イベント及びデータが一つ又は幾つかのイベント及びデータソースに由来しているかどうかにかかわらず、もたらす。様々な分類（陽に（explicitly）及び／又は暗に（implicitly）訓練された）スキーム及び／又はシステム（例えば、サポート・ベクトル・マシン、ニューラル・ネットワーク、エキスパート・システム、ベイジアン・ビリーフ・ネットワーク（Bayesian belief networks）、ファジー論理、データ統合エンジン（data fusion engines）…）は、クレームされた主題に関連するオートマチック及び／又は推論されるアクションの実行に関連して使用されることができる。
【００６４】
分類器は、入力属性ベクトルｘ＝（ｘ１，ｘ２，ｘ３，ｘ４，ｘｎ）を、該入力があるクラス（class）に属するという確かさ（confidence）へマッピングする関数、すなわち、ｆ（ｘ）＝confidence（class）であることができる。そのような分類は、ユーザが自動的に実行されることを望むアクションを予知（prognose）又は推論（infer）するための、確率的な及び／又は統計ベースの解析（例えば、解析の有用性及びコストのファクタリング）を使用することができる。サポートベクタマシン（ＳＶＭ）は、使用されることができる分類器の例である。ＳＶＭは、あり得る入力の空間において超曲面を検出することによってオペレートする。そして、その超曲面は、トリガー基準を非トリガー・イベントから分離することを試行する。直観的に、これは、トレーニングデータに近いが同一ではないデータをテストするために、分類を正確にする。他の有向及び無向モデル分類アプローチは、独立の異なるパターンが使用されることができる場合には、例えば、ナイーブ・ベイズ（naive Bayes）、ベイジアン・ネットワーク、決定木、ニューラル・ネットワーク、ファジー論理モデル、及び確率的分類モデルを含む。本明細書で使用される分類はまた、プライオリティーのモデルを作成するために利用される統計的回帰（statistical regression）を含む。
【００６５】
さて、図６を参照して、クライアントのためにＭＶＮＯアクセスを容易にするクライアント・デバイス６００の説明図が示される。クライアント・デバイス６００は、例えば、受信アンテナ（図示せず）から信号を受信し、該受信信号に対して標準的なアクションを実行し（例えば、フィルタリングし、ダウンコンバートするなど）、サンプルを得るために、該調整された信号（conditioned signal）をデジタイズする受信機６０２を含む。受信機６０２は、受信されたシンボルを復調し、それらをチャネル推定のためにプロセッサ６０６に提供することができる復調器６０４を含むことができる。プロセッサ６０６は、受信機６０２により受信される情報の解析及び／又は送信機６２０による送信のために情報の生成に専用されるプロセッサ、クライアント・デバイス６００の１又は複数のコンポーネントを制御するプロセッサ、及び／又は、受信機６０２により受信される情報の解析、送信機６２０による送信のための情報の生成及びクライアント・デバイス６００の１又は複数のコンポーネントの制御のいずれも行うプロセッサであることができる。
【００６６】
さらにまた、送信機６２０は、他のデータなどの間に、アクセス・リクエスト６２６を送信しても良い。アクセス・リクエスト６２６は、クライアント信用証明書６２８、クライアント選好６３０及びクライアント・コネクション・パラメータ群６３２を含んでも良い。クライアント６００が例えば通信セッション１０８のような通信セッションを確立しようとするときに、アクセス・リクエスト６２４が送信されても良い。クライアント選好６３０は、閾値（例えば、サービス品質閾値、要求されたスループット閾値など）を含んでも良い（ただし、それらに制限されない）。さらに、クライアント・コネクション・パラメータ群６３２（それは、以下に記すように、ＭＮＯ評価器６１４により利用されても良い）は、ＭＮＯのセットに関連しても良く、また、ＭＮＯのセットに関連する少なくとも一つのネットワークに関するネットワーク可用性、クライアントにおける局所負荷レベルに基づくリンク利用の推定、クライアント又はクライアントのユーザにより選択される要求サービス品質閾値、及び、ＭＮＯのセットに関連する少なくとも一つのネットワーク上で起こり得る通信セッション間のリンク品質のうちの１又は複数を含む（ただし、それらに制限されるものではない）。
【００６７】
クライアント・デバイス６００は、プロセッサ６０６に有効に接続され、そして、送信されるデータ、受信されたデータ、利用できるチャネルに関係する情報、解析信号及び／又は干渉強度に関連するデータ、割り当てられたチャネルに関係する情報、電力、レート、又は、その種の他のもの、及び、チャネルの推定及びチャネルを介した通信に関する任意の他の適切な情報を格納することができるメモリ６０８を更に含む。メモリ６０８は、（例えば、パフォーマンスベース、能力ベースなどの）チャネルの推定及び／又は利用に関連するプロトコル及び／又はアルゴリズムを更に格納することができる。
【００６８】
本明細書で説明されるデータ・ストア（例えば、メモリ６０８）は、揮発性メモリ又は不揮発性メモリのいずれかあることもでき、又は、揮発性及び不揮発性メモリを両方含むこともできることは認識されるであろう。制限とではなく説明として、不揮発性メモリは、読み出し専用メモリ（ＲＯＭ）、プログラマブルＲＯＭ（ＰＲＯＭ）、電気的書換え可能ＲＯＭ（ＥＰＲＯＭ）、電気的消去可能ＰＲＯＭ（ＥＥＰＲＯＭ）又はフラッシュメモリを含むことができる。揮発性メモリは、外部キャッシュメモリとして機能するランダムアクセスメモリ（ＲＡＭ）を含むことができる。制限ではなく説明として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、２倍速ＳＤＲＡＭ（ＤＤＲ ＳＤＲＡＭ）、拡張ＳＤＲＡＭ（enhanced SDRAM）（ＥＳＤＲＡＭ）、シンクリンクＤＲＡＭ（ＳＬＤＲＡＭ）及びダイレクトラムバスＲＡＭ（ＤＲＲＡＭ））のような多くの形で利用可能である。主題のシステム及び方法のメモリ６０８は、これら及び任意の他の適切なタイプのメモリを含むことを意図されている（ただし、それらに制限されるものではない）。
【００６９】
クライアント・デバイス６００は、該クライアント・デバイスに関するＭＶＮＯアクセスを容易にするためのコネクション・モジュール６１２を更に含むことができる。コネクション・モジュール６１２は、通信セッションを確立するのを支援するＭＮＯ評価器モジュール６１４を更に含んでも良い。ＭＮＯ評価器６１４は、要求される結果（例えば、ネットワーク資源の使用を最小にする若しくはネットワーク負荷をバランシングするなどのような、ネットワークベースの最終値（end value）、又は、エネルギー／バッテリー消費を低減する若しくは要求されたサービス品質を提供する若しくは要求されたプライスを提供するなどのような、クライアントベースの最終値（end value））を達成するために、（１又は複数の）オプション６２２及び／又は選択された通信セッション／ＭＮＯ６２４の定義を導き得るクライアントベース最適化ルール群６１６を含んでも良い。例えば、（１又は複数の）オプション６２２及び／又は選択された通信セッション／ＭＮＯ６２４は、クライアント・コネクション・パラメータ６２４に少なくとも部分的に基づいても良い。
【００７０】
図７、８Ａ及び８Ｂは、クレームされた主題に従って様々な手順を示す。説明を簡単にする目的で、手順が一連の動作として図示され説明されるが、クレームされた主題は、動作の順序により制限されるものではなく、いくつかの動作が、本明細書で図示され説明される順序とは異なる順序で及び／又は他の動作と同時に、発生しても良いことは、理解（understood）及び認識（appreciated）されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、クレームされた主題に従う手順を実装するために、必ずしも説明されたすべての動作が要求されなくても良い。さらに、以下で及び本明細書を通して開示される手順が、そのような手順のコンピュータへの転送（transporting）及び転送（transferring）を容易にするために製品に格納されることができることは更に認識されるべきである。本明細書で使用される用語「製品（term article of manufacture）」は、任意のコンピュータ読み取り可能なデバイス、キャリア又は媒体からアクセス可能できるコンピュータ・プログラムを含むを意図されている。
【００７１】
さて、図７を参照して、ＭＶＮＯアクセス及び利用のためのプライシングを提供するための例示的な方法７００が説明される。通常、参照番号７０２において、ＭＶＮＯへのクライアント・アクセスが可能にされることができる。一般的に、ＭＶＮＯは、クライアントに関連する通信セッションをホスティングするために、利用できるＭＮＯのセットからホストＭＮＯを使用する。参照番号７０４において、クライアントに関連するクライアント信用証明書が、利用できるＭＮＯのセットからの少なくとも一つのＭＮＯから、受信されることができる。
【００７２】
次に説明に移って、参照番号７０６において、ＭＮＯのセットのうちの少なくとも一つに関連するコネクション・パラメータが、確認されることができる。一つの態様において、これらのパラメータは、クライアントにより検索されて、アクセス・リクエストとともに送信されても良い。他の態様において、これらのパラメータは、ＭＶＮＯにより判定されても良い。更に他の態様において、これらのパラメータは、クライアント及びＭＶＮＯから検索されても良い。参照番号７０８において、通信セッションが確立される。一つの態様において、クライアントは、例えば、ＭＶＮＯに利用可能であり、利用可能なコネクションに関してクライアントに提供される、クライアント最適化ルール又はＭＮＯ最適化ルール又はＭＶＮＯ最適化ルールのうちの１又は複数のような、集められたパラメータ及び他の情報に基づいて、起こり得る利用できる通信セッションから選択する。一方、他の態様において、ＭＶＮＯは、例えば、集められたパラメータ及び適用されたルールに基づいて、クライアントのための通信セッションを選択する。一つの態様において、通信セッションのためのプライスはまた、例えばシステム負荷又はリンク品質のような（ただし、それらに制限されない）判定されたパラメータに少なくとも部分的に基づいて、計算されることができる。それゆえ、例えば、リンク品質が高く評価されるならば、プライスは比較的より高くても良い。さらにまた、システム負荷はまた、通信セッションのプライスに影響を及ぼすことができる。
【００７３】
図８Ａを参照して、ホスティングＭＮＯ及び関連する一つのネットワーク又は複数のネットワークに関連して更なる機能を提供するための例示的な方法８００Ａが説明される。一般に、参照番号８０２において、クライアントは、先に述べたように、例えばシステム負荷又はリンク品質のような（ただし、それらに制限されない）パラメータに基づいて、通信セッションの間に、第２の（second）ＭＮＯへ移されることができる。それゆえに、システム負荷及びリンク品質は、通信セッションに関するプライスを設定するための基礎として使用されることができるが、これらのインジケータはまた、とりわけ、より良いサービスをクライアントに提供するために、クライアントを移すために利用されることができる。
【００７４】
参照番号８０４において、利用できるＭＮＯのセットからの少なくとも一つのＭＮＯに関するスペクトル利用状況（utilization）が、モニターされることができる。それゆえ、参照番号８０６において、ホスティングＭＮＯを使用する通信セッションは、スペクトル利用状況に基づいて開始されることができる。例えば、ホスティングＭＮＯは、スペクトル利用状況に基づいて選択されることができる。幾つかの状況において、ホスティングＭＮＯは、利用できるＭＮＯの全部又は一部の間のスペクトル利用を最適化するように選択されることができ、これに対して、他の状況において、ホスティングＭＮＯは、現在高い利用を有する特定のＭＮＯを付け加えないように選択されることができる。参照番号８０８において、利用できるＭＮＯのセットからの少なくとも一つのＭＮＯのためのネットワークが、統計的に多重化されることができる。関連するＭＮＯのために１又は複数のネットワークを統計的に多重化することによって、参照番号８０６に関連して上で詳述されたスペクトル利用状況に基づくＭＮＯ選択は、更に最適化されることができる。
【００７５】
図８Ｂを参照して、タスク割り当て（allocation）又は割り当て（assignment）に関連する更なる機能を提供する例示的な方法８００Ｂが説明される。一般的に、参照番号８１０において、ＭＶＮＯに関連するサーバは、通信セッション間の制御情報及びデータ・フローを管理するために使用されることができる。認められるように、サーバは、例えば制御マネージャー及び／又はデータ・マネージャーのようなＭＶＮＯに関連する特定のコンポーネントによりオペレート若しくは管理されることができ又はそれを含むことができる。
【００７６】
参照番号８１２において、通信セッション間のデータ・フローの管理は、ホストＭＮＯに委託されることができる。認められるように、データ・フローは、ホストＭＮＯに委託されることができるが、ＭＶＮＯは、まだ、制御情報を受信し管理することができる。参照番号８１４において、クライアントは、通信セッションのためにホスティングＭＮＯを選択することを、可能にされることができる。様々なプライシング情報及び潜在的にネットワーク特性（例えば、システム負荷、リンク品質など）だけでなく、適切な及び／又は利用できるＭＮＯのリストが、クライアントに供給されることができることは理解されるべきである。さらに、参照番号８１６において、ＭＶＮＯは、コネクション・パラメータ（例えば、システム負荷、リンク品質、プライシングなど）及び資源最適化パラメータ（例えば、クライアント電力使用量、コネクション・コスト、ネットワーク資源使用量など）に基づいて、通信セッションのために使用する利用可能なＭＮＯのリストから、省略されるＭＮＯを自動的に除外することができる。参照番号８１８において、ホストＭＮＯは、上述のコネクション・パラメータ及び資源最適化パラメータに少なくとも部分的に基づいて、自動的に選択されることができる。
【００７７】
図９を参照して、一つの非制限的な態様において、コールフロー９００が、例えばシステム１００（図１）のようなＭＶＮＯへのアクセスをクライアントに提供することができる通信システムの様々なコンポーネント間のインタラクションを詳述する。この例において、クライアント９０２は、１又は複数のＭＮＯ（例えば、ＭＮＯ９０４及びＭＮＯ９０５）と通信可能であっても良い。そして、それらは、クライアント９０２がそれによる通信セッションを確立することを望む可能性のある潜在的なモバイル・ネットワーク・オペレータである。図示されないが、更なるＭＮＯがクライアント９０２との直接の通信のために使用可能であっても良いことに留意されるべきである。さらに、コールフロー９００の説明のために、該コールフローは、次の３つのアクティビティーに再分割され得る；コネクション・パラメータ収集９０８、コネクション開始９１８及びコネクション認証９２８。
【００７８】
一つの態様において、コネクション・パラメータ収集９０８の間に、アクト９１０及び９１２において、クライアント９０２は、ＭＮＯ９０４及びＭＮＯ９０５からコネクション・パラメータ・データを得る。例えば、クライアントにより得られるコネクション・パラメータ・データは、以下のうちの１又は複数を含んでも良い：ＭＮＯのセットに関連する少なくとも一つのネットワークに関するネットワーク可用性、クライアントにおける局所負荷レベルに基づくリンク利用の推定、クライアントにより選択される要求されたサービス品質閾値、及び、起こり得る通信セッションに関するリンク品質。さらに、パラメータ収集９０８の間に、アクト９１４及び９１６において、ＭＶＮＯ９０６は、ＭＮＯ９０４及びＭＮＯ９０５からコネクション・パラメータ・データを得る。例えば、ＭＶＮＯにより得られるコネクション・パラメータ・データは、以下のうちの１又は複数を含んでも良い：ＭＮＯのセットに関連する少なくとも一つのネットワークに関するネットワーク可用性、ＭＶＮＯにおける負荷レベルに基づくリンク利用の推定、ＭＮＯのセットに関連する少なくとも一つのネットワークのためのシステム負荷、及び、ＭＮＯのセットに関連するプライシング・オプション。
【００７９】
さらに、ＭＶＮＯ９０６が、複数のキャリア、複数のネットワーク技術及び複数の通信プロトコルを表す複数のＭＮＯ（例えば、ＭＮＯ９０４及びＭＮＯ９０５）と通信する、ヘテロジーニアスＭＶＮＯであっても良いことに留意されるべきである。
【００８０】
一つの態様において、コネクション開始９１８の間、アクト９２０において、クライアント９０２は、ＭＶＮＯについてホストＭＮＯとして動作しているＭＮＯに対して、ＭＶＮＯについてのアクセス・リクエストを送信しても良い。アクセス・リクエストは、以下を含んでも良い（ただし、それらに制限されるものではない）：クライアント選好を含むクライアント・コネクション・パラメータ。例えば、クライアント選好は、サービス品質閾値、要求スループット閾値などを含んでも良い。アクト９２２において、アクセス・リクエストは、ホスティングＭＮＯ（このケースでは９０４）からＭＶＮＯ９０６へ中継されても良い。アクト９２４及び９２６において、通信セッション・アクセス情報は、ホスティングＭＮＯを介して、クライアント９０２に関係する。一つの態様において、アクセス情報は、クライアントに様々な通信セッション・コネクション・オプションを提供し、そして、クライアントが、これらのオプションに基づいて、通信セッション／ＭＮＯを選択するのを可能にする。例えば、これらのオプションは、パラメータ（例えば、１又は複数のＭＮＯから利用可能な１又は複数の潜在的な通信セッションに関する、プライス、スループット、サービス品質、負荷など）を提示しても良い。他の態様において、ＭＶＮＯは、例えばクライアントベースのルール、ネットワークベースのルール又はそれらの両方に基づいて、クライアントのための通信セッションを自動的に選択し、そして、その選択及び対応するセッション・セットアップ情報を、アクセス情報を介して、クライアントにリレーする。そのような態様において、ＭＶＮＯは、クライアント検索された及び／又はネットワーク検索されたコネクション・パラメータに少なくとも部分的に基づいて、その選択を行っても良い。他の態様において、ＭＶＮＯはまた、例えば以下のような（ただし、それらに制限されない）要因を実質的に最小にすることによってクライアント及び／又はネットワークのための資源を最適化しようとしても良い：電力使用量、クライアントに関するサービス品質及びコスト、並びに、ＭＶＮＯに関するネットワーク負荷、強度及びプライス）。
【００８１】
一つの態様において、コネクション認証９２８の間、アクト９３０及び９３２において、クライアント９０２は、ホスティングＭＮＯを通して、ＭＶＮＯ９０６にクライアント信用証明書を送信しても良い。あるいは、クライアント信用証明書は、アクト９２０及び９２２においてＭＶＮＯに送信されるアクセス・リクエストにグループ化されても良い。アクト９３４において、一旦、ＭＶＮＯ９０６がクライアント信用証明書を認証したならば、ＭＶＮＯは、認証されたクライアント９０２のために選択されたコネクション・データを、ＭＮＯ９０４に送信する。その後、アクト９３６において、クライアント９０２は、ＭＮＯ９０４を通して確立される選択された通信セッションを使用しても良い。
【００８２】
上記したように、一旦、通信セッションが確立されたならば、ＭＶＮＯの役割は、クライアントがＭＮＯを介して確立された通信セッションを通して、直接、サード・パーティーとインタラクトするについれて、最小限になっても良い。他の態様において、制御情報は、セッション開始のためにＭＶＮＯへパスされることができ、続いて、すべてのデータ・フローは、ＭＶＮＯへ伝播する必要なく、キャリア・ネットワークからサード・パーティー（例えば、インターネット・サイト又は被呼側（called party））へ直接トラバースすることができる。他の態様において、制御及びデータ・フローの全部又は一部は、ＭＶＮＯににより管理されるサーバに対するトンネリングにより管理されることができる。例えば、ハンドオフは、ＭＶＮＯサーバにより管理されることができる。そのようなハンドオフは、二つの異なるＭＮＯキャリアにわたってオペレートすることができ、及び／又は、例えば単一キャリア内で基地局又はアクセスポイントを変更するときなどにおいて、単一のＭＮＯネットワーク内の中でオペレートすることができる。
【００８３】
図１０を参照して、クライアントのためにモバイル仮想ネットワーク・オペレータ・アクセスを容易にするシステム１０００が説明される。例えば、システム１０００は、基地局、モバイル・デバイスなどの内部に少なくとも部分的に存在することができる。他の例示的な態様に従って、システム１０００は、アクセス端末の内部に少なくとも部分的に存在することができる。システム１０００は、プロセッサ、ソフトウェア又はそれらの組み合せ（例えば、ファームウェア）により実装される機能を表す機能ブロックであることができる機能ブロックを含むものとして表されることは認識されるべきである。
【００８４】
システム１０００は、合同して動作することができる手段の論理グループ１００２を含む。例えば、論理グループ１００２は、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための手段１００４を含むことができる。例えば、説明されるように、アクセス・リクエストは、ＭＮＯを選択するためのクライアント・インストラクション、クライアント信用証明書などを含むことができる。アクセス・リクエストに関連するクライアント信用証明書から、利用できるＭＮＯのセットからの少なくとも一つのＭＮＯへのアクセスが、推論されることができる。さらに、論理グループ１００２は、前記クライアントから、前記ＭＮＯのセットのうちの少なくとも一つのＭＮＯに関連するクライアント・コネクション・パラメータを受信するための手段１００６を含むことができる。さらに、説明されるように、ＭＮＯのセットに関連するクライアント・コネクション・パラメータは、以下を含むことができる（ただし、それらに制限されない）：ＭＮＯのセットに関連する少なくとも一つのネットワークに関するネットワーク可用性、クライアントにおける局所負荷レベルに基づくリンク利用の推定、クライアントにより選択される要求されたサービス品質閾値、及び、ＭＮＯｓセットに関連する少なくとも一つのネットワーク上で起こり得る通信セッション間のリンク品質。
【００８５】
さらに、論理グループ１００２は、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための手段１００８を含むことができる。ＭＮＯのセットに関連するＭＶＮＯ−コネクション・パラメータは、以下を含むことができる（ただし、それらに制限されない）：ＭＮＯのセットに関連する少なくとも一つのネットワークに関するネットワーク可用性、ＭＶＮＯにおける負荷レベルに基づくリンク利用の推定、ＭＮＯのセットに関連する少なくとも一つのネットワークに関するシステム負荷、及び、ＭＮＯのセットに関連するプライシング・オプション。
【００８６】
さらに、論理グループ１００２は、前記少なくとも一つのオプションに基づいて、選択された通信セッションを確立するための手段１０１０を含むことができる。例えば、クライアントが様々な通信セッション・オプションに関して促された（prompted）後、通信セッション選択は、クライアント選択を通して受信されても良い。他の例において、ＭＶＮＯが様々なコネクション・パラメータを考慮に入れた後、通信セッション選択は、ＭＶＮＯから受信されても良い。さらに、通信セッション選択は、クライアント側とネットワーク側との両方に関する資源使用を実質的に最小にするための要因を組み込んでも良い。そのように、クライアント電力使用量、サービス品質及びセッション・プライシングが、選択の考慮に入れられても良い。さらにまた、ネットワーク負荷、使用及びプライスが、選択の考慮に入れられても良い。さらに、例えば、一旦、クライアントが認証され、そして、コネクション・データ及びインストラクションが、通信セッションが行われているクライアントとサード・パーティーと間の通信であるならば、通信セッションがネットワーク上に確立されても良い。
【００８７】
起こり得る通信セッション間のオプションは、この情報に少なくとも部分的に基づいて推論されることができる。さらに、システム１０００は、手段１００４，１００６，１００８及び１０１０に関連する機能を実行するためのインストラクションを保持するメモリ１０１２を含むことができる。メモリ１０１２の外部に存在するものとして示されるが、手段１００４，１００６，１００８及び１０１０のうちの１又は複数がメモリ１０１２の内部に存在することができることは理解されるべきである。
【００８８】
図１１を参照して、一つの態様に従った多元接続無線通信システムが説明される。アクセスポイント１１００（ＡＰ）は複数のアンテナ・グループを含む。一つのグループは１１０４及び１１０６を含み、他の一つは１１０８及び１１１０を含み、更に他は１１１２及び１１１４を含む。図１１では、各アンテナ・グループごとに二つのアンテナのみが示されているが、各アンテナ・グループごとに、より多くのアンテナが利用されても良いし、より少ないアンテナが利用されても良い。アクセス端末１１１６（ＡＴ）は、アンテナ１１１２及び１１１４と通信する。ここで、アンテナ１１１２及び１１１４は、順方向リンク１１２０上でアクセス端末１１１６に情報を送信し、逆方向リンク１１１８上でアクセス端末１１１６から情報を受信する。アクセス端末１１２２は、アンテナ１１０６及び１１０８と通信する。ここで、アンテナ１１０６及び１１０８は、順方向リンク１１２６上でアクセス端末１１２２に情報を送信し、逆方向リンク１１２４上でアクセス端末１１２２から情報を受信する。ＦＤＤシステムにおいて、通信リンク１１１８，１１２０，１１２４及び１１２６は、通信のために異なる周波数を使用しても良い。例えば、順方向リンク１１２０は、それから、逆方向リンク１１１８により使用される周波数とは異なる周波数を使用しても良い。
【００８９】
各々のアンテナ・グループ及び／又はそれらが通信するようにデザインされているエリアは、しばしば、アクセスポイントのセクターと呼ばれる。一つの態様において、アンテナ・グループの各々は、アクセスポイント１１００によりカバーされるエリアのセクター中のアクセス端末に通信するようにデザインされている。
【００９０】
順方向リンク１１２０及び１１２６上の通信において、アクセスポイント１１００の送信アンテナは、異なるアクセス端末１１１６及び１１２４のために順方向リンクの信号対雑音比を改善するために、ビームフォーミングを利用する。また、そのカバレージ全体にわたってランダムに散在するアクセス端末に送信するためにビームフォーミングをしようするアクセスポイントは、すべてのそのアクセス端末に単一のアンテナを通して送信するアクセスポイントに比べてより少ない干渉を、近隣のセル中のアクセス端末にもたらす。
【００９１】
アクセスポイントは、端末と通信するために使用される固定局であっても良く、また、アクセスポイント、Ｎｏｄｅ Ｂと呼ばれることもあり又は何らかの他の用語で呼ばれることもある。また、アクセス端末は、アクセス端末、ユーザ装置（ＵＥ）、無線通信デバイス、端末、アクセス端末と呼ばれることもあり又は何らかの他の用語で呼ばれることもある。
【００９２】
図１２を参照して、ＭＩＭＯシステム１２００中の送信機システム１２１０（アクセスポイントとしても知られている）及び受信機システム１２５０（アクセス端末としても知られている）の一つの態様のブロック図が説明される。送信機システム１２１０において、幾つかのデータ・ストリームのためのトラフィック・データは、データソース１２１２から送信（ＴＸ）データプロセッサ１２１４に提供される。
【００９３】
一つの態様において、各々のデータ・ストリームは、それぞれの送信アンテナ上で送信される。ＴＸデータプロセッサ１２１４は、符号化データを提供するために、そのデータ・ストリームについて選択される特定の符号化スキームに基づいて、各々のデータ・ストリームのためのトラフィック・データを、フォーマットし、符号化し、そして、インターリーブする。
【００９４】
各々のデータ・ストリームのための符号化データは、ＯＦＤＭ技術を使用して、パイロット・データと多重化されても良い。パイロット・データは、一般的に、既知の方法で処理される既知のデータ・パターンであり、また、チャネル・レスポンスを推定するために受信機システムにおいて使用されても良い。各々のデータ・ストリームのための多重化されたパイロット及び符号化データは、それから、変調シンボルを提供するために、そのデータ・ストリームについて選択される特定の変調スキーム（例えば、ＢＰＳＫ、ＱＳＰＫ、Ｍ−ＰＳＫ又はＭ−ＱＡＭ）に基づいて、変調される（すなわち、シンボルマッピングされる）。各々のデータ・ストリームのためのデータレート、符号化及び変調は、プロセッサ１２３０により実行されるインストラクションにより判定されても良い。
【００９５】
すべてのデータ・ストリームのための変調シンボルは、それから、ＴＸ ＭＩＭＯプロセッサ１２２０に提供される。そして、ＴＸ ＭＩＭＯプロセッサ１２２０は、変調シンボルを更に処理しても良い（例えばＯＦＤＭのために）。ＴＸ ＭＩＭＯプロセッサ１２２０は、それから、ＮＴ個の変調シンボル・ストリームをＮＴ個の送信機（ＴＭＴＲ）１２２２ａ〜１２２２ｔに提供する。特定の態様において、ＴＸ ＭＩＭＯプロセッサ１２２０は、ビームフォーミング重みを、データ・ストリームのシンボルに対して及びシンボルが送信されているアンテナに対して、適用する。
【００９６】
各々の送信機１２２２は、１又は複数のアナログ信号を提供するために、それぞれのシンボル・ストリームを受信及び処理し、更に、ＭＩＭＯチャネル上での伝送に適した変調信号を提供するために、該アナログ信号を調整（例えば、増幅、フィルタリング、及び、アップコンバート）する。それから、送信機１２２２ａ〜１２２２ｔからのＮＴ個の変調信号は、それぞれ、ＮＴ個のアンテナ１２２４ａ〜１２２４ｔから送信される。
【００９７】
受信機システム１２５０において、送信された変調信号は、ＮＲ個のアンテナ１２５２ａ〜１２５２ｒにより受信され、そして、各々のアンテナ１２５２からの受信信号は、それぞれの受信機（ＲＣＶＲ）１２５４ａ〜１２５４ｒに提供される。各々の受信機１２５４は、それぞれの受信された信号を調整（例えば、フィルタリング、増幅、及び、ダウンコンバート）し、そして、サンプルを提供するために、該調整された信号をデジタイズし、更に、対応する“受信（received）” シンボル・ストリームを提供するために、該サンプルを処理する。
【００９８】
ＲＸデータプロセッサ１２６０は、それから、ＮＴ個の“検出（detected）”シンボル・ストリームを提供するために、特定の受信機処理技術に基づいて、ＮＲ個の受信機１２５４からのＮＲ個の受信シンボル・ストリームを受信及び処理する。ＲＸデータプロセッサ１２６０は、それから、データ・ストリームのためのトラフィック・データをリカバーするために、各々の検出シンボル・ストリームを、復調し、デインターリーブし、そして、復号化する。ＲＸデータプロセッサ１２６０による処理は、送信機システム１２１０におけるＴＸ ＭＩＭＯプロセッサ１２２０及びＴＸデータプロセッサ１２１４により実行される処理と相補的である。
【００９９】
プロセッサ１２７０は、周期的に、いずれのプレコーディング・マトリックスを使用するべきかについて判定する（以下に記す）。プロセッサ１２７０は、マトリックス・インデックス部及びランク値部を含む逆方向リンク・メッセージを作成する（formulates）。
【０１００】
逆方向リンク・メッセージは、通信リンク及び／又は受信データ・ストリームに関して様々なタイプの情報を含んでも良い。逆方向リンク・メッセージは、それから、ＴＸデータプロセッサ１２３８（それはまたデータソース１２３６から幾つかのデータ・ストリームのためのトラフィック・データを受信する）により処理され、変調器１２８０により変調され、送信機１２５４ａ〜１２５４ｒにより調整され、そして、もとの送信機システム１２１０へ送信される。
【０１０１】
送信機システム１２１０において、受信機システム１２５０からの変調信号は、アンテナ１２２４により受信され、受信機１２２２により調整されて、復調器１２４０により復調され、そして、受信機システム１２５０により送信される逆方向リンク・メッセージを抽出するためにＲＸデータプロセッサ１２４２により処理される。それから、プロセッサ１２３０は、次にビームフォーミング重みが抽出されたメッセージを処理するか判定するために、いずれのプレコーディング・マトリックスを使用するかを判定する。
【０１０２】
一つの態様において、論理チャネルは、制御チャネルとトラフィック・チャネルとに分類される。論理制御チャネルは、システム制御情報をブロードキャストするためのＤＬチャネルであるブロードキャスト制御チャネル（ＢＣＣＨ）を含む。ページング情報を転送するＤＬチャネルであるページング制御チャネル（ＰＣＣＨ）。マルチキャスト制御チャネル（ＭＣＣＨ）は、１又は数個のＭＴＣＨについてマルチメディア・ブロードキャスト及びマルチキャスト・サービス（Multimedia Broadcast and Multicast Service）（ＭＢＭＳ）スケジューリング及び制御情報を送信するために使用されるポイントツーマルチポイントＤＬチャネルである。通常、ＲＲＣコネクションの確立後、このチャネルは、ＭＢＭＳを受信するＵＥにより用いられるだけである（注意：旧ＭＣＣＨ＋ＭＳＣＨ）。専用制御チャネル（ＤＣＣＨ）は、専用制御情報を送信するポイントツーポイント双方向チャネルであり、ＲＲＣコネクションを有するＵＥにより使用される。一つの態様において、論理トラフィック・チャネルは、ユーザ情報の転送のために、一つのＵＥに専用される、ポイントツーポイント双方向チャネルである専用トラフィックチャネル（ＤＴＣＨ）を含む。また、マルチキャスト・トラフィックチャネル（ＭＴＣＨ）は、トラフィック・データを送信するためのポイントツーマルチポイントＤＬチャネルである。
【０１０３】
一つの態様において、トランスポート・チャネルは、ＤＬとＵＬに分類される。ＤＬトランスポート・チャネルは、全体のセルの上にブロードキャストされ、及び、他の制御／トラフィック・チャネルのために使用されることができるＰＨＹ資源にマッピングされた、ブロードキャスト・チャネル（ＢＣＨ）、ダウンリンク共有データ・チャネル（ＤＬ−ＳＤＣＨ）及びページング・チャネル（ＰＣＨ）、ＵＥ省電力のサポートのためのＰＣＨ（ＤＲＸサイクルはネットワークによりＵＥへ示される）を含む。ＵＬトランスポート・チャネルは、ランダム・アクセス・チャネル（ＲＡＣＨ）、リクエスト・チャネル（ＲＥＱＣＨ）、アップリンク共有データ・チャネル（ＵＬ−ＳＤＣＨ）及び複数のＰＨＹチャネルを含む。ＰＨＹチャネルは、一組のＤＬチャネル及びＵＬチャネルを含む。ＤＬ ＰＨＹチャネルは、以下を含んでも良い：  
共通パイロット・チャネル（Common Pilot Channel）（ＣＰＩＣＨ）、  
同期チャネル（Synchronization Channel）（ＳＣＨ）、  
共通制御チャネル（Common Control Channel）（ＣＣＣＨ）、  
共有ＤＬ制御チャネル（Shared DL Control Channel）（ＳＤＣＣＨ）、  
マルチキャスト制御チャネル（Multicast Control Channel）（ＭＣＣＨ）、  
共有ＵＬ割り当てチャネル（Shared UL Assignment Channel）（ＳＵＡＣＨ）、  
承認チャネル（Acknowledgement Channel）（ＡＣＫＣＨ）、  
ＤＬ物理共有データ・チャネル（DL Physical Shared Data Channel）（ＤＬ−ＰＳＤＣＨ）、  
ＵＬ電力制御チャネル（UL Power Control Channel）（ＵＰＣＣＨ）、  
ページング・インジケータ・チャネル（Paging Indicator Channel）（ＰＩＣＨ）、  
負荷インジケータ・チャネル（Load Indicator Channel）（ＬＩＣＨ）。  
ＵＬ ＰＨＹチャネルは、以下を含む：  
物理ランダム・アクセス・チャネル（Physical Random Access Channel）（ＰＲＡＣＨ）、  
チャネル品質インジケータ・チャネル（Channel Quality Indicator Channel）（ＣＱＩＣＨ）、  
承認チャネル（Acknowledgement Channel）（ＡＣＫＣＨ）、  
アンテナ・サブセット・インジケータ・チャネル（Antenna Subset Indicator Channel）（ＡＳＩＣＨ）、  
共有リクエスト・チャネル（Shared Request Channel）（ＳＲＥＱＣＨ）、  
ＵＬ物理共有データ・チャネル（UL Physical Shared Data Channel）（ＵＬ−ＰＳＤＣＨ）、  
ブロードバンド・パイロット・チャネル（Broadband Pilot Channel）（ＢＰＩＣＨ）。
【０１０４】
一つの態様において、単一のキャリア波形の低いＰＡＲの（いつでも、チャネルは隣接するか、又は、周波数において均等に間隔をあけられる）特性を維持するチャネル構造が提供される。
【０１０５】
本文書について、以下の省略形が適用されることがある：  
ＡＭ  承認モード（Acknowledged Mode）、  
ＡＭＤ  承認モード・データ（Acknowledged Mode Data）、  
ＡＲＱ  自動繰り返しリクエスト（Automatic Repeat Request）、  
ＢＣＣＨ  ブロードキャスト制御チャネル（Broadcast Control Channel）、  
ＢＣＨ  ブロードキャスト・チャネル（Broadcast Channel）、  
Ｃ−  制御−（Control-）、  
ＣＣＣＨ  共通制御チャネル（Common Control Channel）、  
ＣＣＨ  制御チャネル（Control Channel）、  
ＣＣＴrＣＨ  符号化複合トランスポート・チャネル（Coded Composite Transport Channel）、  
ＣＰ  サイクリックプリフィックス（Cyclic Prefix）、  
ＣＲＣ  巡回冗長検査  （Cyclic Redundancy Check）、  
ＣＴＣＨ  共通トラフィック・チャネル（Common Traffic Channel）、  
ＤＣＣＨ  専用制御チャネル（Dedicated Control Channel）、  
ＤＣＨ  専用チャネル（Dedicated Channel）、  
ＤＬ  ダウンリンク（DownLink）、  
ＤＳＣＨ  ダウンリンク共有チャネル（Downlink Shared Channel）、  
ＤＴＣＨ  専用トラフィック・チャネル（Dedicated Traffic Channel）、  
ＦＡＣＨ  順方向リンク・アクセス・チャンネル（Forward link Access Channel）、
ＦＤＤ  周波数分割双方向（Frequency Division Duplex）、  
Ｌ1  レイヤ１（物理レイヤ）（Layer 1 (physical layer)）、  
Ｌ2  レイヤ４（データリンク層）（Layer 4 (data link layer)）、  
Ｌ3  レイヤ４（ネットワーク層）（Layer 4 (network layer)）、  
ＬI  長さインジケータ（Length Indicator）、  
ＬＳＢ  最下位ビット（Least Significant Bit）、  
ＭＡＣ  メディアアクセス制御（Medium Access Control）、  
ＭＢＭＳ  マルチメディア・ブロードキャスト・マルチキャスト・サービス（Multimedia Broadcast Multicast Service）、  
ＭＣＣＨ  ＭＢＭＳポイントツーマルチポイント制御チャネル（MBMS point-to-multipoint Control Channel）、  
ＭＲＷ  ムーブ受信ウインドウ（Move Receiving Window）、  
ＭＳＢ  最上位ビット（Most Significant Bit）、  
ＭＳＣＨ  ＭＢＭＳポイントツーマルチポイント・スケジューリング・チャネル（MBMS point-to-multipoint Scheduling Channel）、  
ＭＴＣＨ  ＭＢＭＳポイントツーマルチポイント・トラフィック・チャネル（MBMS point-to-multipoint Traffic Channel）、  
ＰＣＣＨ  ページング制御チャネル（Paging Control Channel）、  
ＰＣＨ  ページング・チャネル（Paging Channel）、  
ＰＤＵ  プロトコル・データ・ユニット（Protocol Data Unit）、  
ＰＨＹ  物理レイヤ（Physical layer）、  
ＰｈｙＣＨ  物理チャネル（Physical Channels）、  
ＲＡＣＨ  ランダム・アクセス・チャネル（Random Access Channel）、  
ＲＬＣ  無線リンク制御（Radio Link Control）、  
ＲＲＣ  無線資源制御（Radio Resource Control）、  
ＳＡＰ  サービス・アクセス・ポイント（Service Access Point）、  
ＳＤＵ  サービス・データユニット（Service Data Unit）、  
ＳＨＣＣＨ  共有チャネル制御チャネル（Shared channel Control Channel）、  
ＳＮ  シーケンス番号（Sequence Number）、  
ＳＵＦＩ  スーパー・フィールド（Super Field）、  
ＴＣＨ  トラフィック・チャネル（Traffic Channel）、  
ＴＤＤ  時分割双方向（Time Division Duplex）、  
ＴＦＩ  トランスポート・フォーマット・インジケータ（Transport Format Indicator）、  
ＴＭ  トランスペアレント・モード（Transparent Mode）、  
ＴＭＤ  トランスペアレント・モード・データ（Transparent Mode Data）、  
ＴＴＩ  トランスミッション・タイム・インターバル（Transmission Time Interval）、  
Ｕ−  ユーザ−（User-）、  
ＵＥ  ユーザ装置（User Equipment）、  
ＵＬ  アップリンク（UpLink）、  
ＵＭ  非承認モード（Unacknowledged Mode）、  
ＵＭＤ  非承認モード・データ（Unacknowledged Mode Data）、  
ＵＭＴＳ  ユニバーサル移動通信システム（Universal Mobile Telecommunications System）、  
ＵＴＲＡ  ＵＭＴＳ地上無線アクセス（UMTS Terrestrial Radio Access）、  
ＵＴＲＡＮ  ＵＭＴＳ地上無線アクセスネットワーク（UMTS Terrestrial Radio Access Network）、  
ＭＢＳＦＮ  マルチキャスト・ブロードキャスト単一周波数ネットワーク（multicast broadcast single frequency network）、  
ＭＣＥ  ＭＢＭＳコーディネート・エンティティー（MBMS coordinating entity）、  
ＭＣＨ  マルチキャスト・チャネル（multicast channel）、  
ＤＬ−ＳＣＨ  ダウンリンク共有チャネル（downlink shared channel）、  
ＭＳＣＨ  ＭＢＭ制御チャネル（MBMS control channel）、  
ＰＤＣＣＨ  物理ダウンリンク制御チャネル（physical downlink control channel）、  
ＰＤＳＣＨ  物理ダウンリンク共有チャネル（physical downlink shared channel）。
【０１０６】
さらに、例えば、本態様は、例えば次のようなコンポーネントを含むロングタームエボリューション（ＬＴＥ）システムに適用されても良い：基地局機能性を有する発展型ＮｏｄｅＢ（Evolved NodeB）（Ｅ−ＮｏｄｅＢ）；Ｅ−ＮｏｄｅＢを含むネットワークである発展型ＵＭＴＳ地上無線アクセスネットワーク（Evolved UMTS Terrestrial Radio Access Network）（Ｅ−ＵＴＲＡＮ）；及び発展型パケット・コア（Evolved Packet Core）（ＥＰＣ）（それは、システム・アーキテクチャー・エボリュエーション（ＳＡＥ）コアとしても知られており、モビリティー管理エンティティ（ＭＭＥ）を介するＧＰＲＳネットワーク、サービング・ゲートウェイ（Ｓ−ＧＷ）及びパケット・データ・ノード（ＰＤＮ）ゲートウェイ・サブコンポーネントの均等物として動作する）。
【０１０７】
ＭＭＥは、ＬＴＥアクセスネットワークのための制御ノードである。それは、再送（retransmissions）を含むアイドルモードのＵＥのトラッキング及びページング手続きに関与する。それは、ベアラ起動／停止プロセスに従事し、また、初期の接続の時に及びコア・ネットワーク（ＣＮ）ノードのリロケーションを伴うイントラＬＴＥハンドオーバーの時に、ＵＥのためのＳＧＷの選択に関与する。それは、（ＨＳＳとインタラクトすることによって）ユーザの認証に関与する。ノンアクセス・ストラタム（ＮＡＳ）シグナリングは、ＭＭＥで終端し、それはまた、ＵＥへの一時的な識別情報の生成及び割り当てに関与する。それは、サービスプロバイダの公衆地上移動通信ネットワーク（Public Land Mobile Network）（ＰＬＭＮ）の上にとどまるＵＥの許可をチェックし、ＵＥローミング・リストリクションを実行する。ＭＭＥは、ＮＡＳシグナリングのための暗号化／完全性（integrity）保護に関するネットワークの終端点であり、セキュリティ・キー管理を扱う。シグナリングの正当な傍受はまた、ＭＭＥによってサポートされる。ＭＭＥはまた、ＳＧＳＮからＭＭＥで終端するＳ３インタフェースにより、ＬＴＥ及び４Ｇ／３Ｇアクセスネットワークの間の移動性（mobility）のための制御プレーン機能を提供する。ＭＭＥはまた、ＵＥをローミングするために、ホームＨＳＳに向かってＳ６ａインタフェースを終端する。
【０１０８】
ＳＧＷは、ユーザ・データパケットをルーティング及びフォワードするが、インターＥ−ＮｏｄｅＢハンドオーバーの間にユーザプレーンのためのモビリティー・アンカーとしても動作し、また、ＬＴＥと他の４ＧＰＰ技術との間のモビリティーのためのアンカー（Ｓ４インタフェースを終端し、４Ｇ／３ＧシステムとＰＤＮ ＧＷとの間のトラフィックを中継する）としても動作する。アイドル状態のＵＥについて、ＳＧＷは、ＤＬデータ・パスを終端し、また、ＵＥのためにＤＬデータが到着するときにページングをトリガーする。それは、ＵＥのコンテキスト（例えば、ＩＰベアラ・サービスのパラメータ、ネットワーク内部ルーティング情報）を管理及び格納する。それはまた、合法の傍受の場合には、ユーザ・トラフィックの複製を実行する。
【０１０９】
ＰＤＮ ＧＷは、ＵＥのためのトラフィックの出口及び入口のポイントになることによって、外部パケット・データ・ネットワーへの接続性をＵＥに提供する。ＵＥは、複数のＰＤＮにアクセスするために、２以上のＰＤＮ ＧＷとの同時の接続性を有しても良い。ＰＤＮ ＧＷは、ポリシー強制（policy enforcement）、各々のユーザのためのパケット・フィルタリング、合法の傍受及びパケット・スクリーニングを実行する。ＰＤＮ ＧＷの他の役割は、例えば、ＷｉＭＡＸ及び４ＧＰＰ２（ＣＤＭＡ １Ｘ及びＥｖＤＯのような４ＧＰＰ技術と非３ＧＰＰ技術と間のモビリティーのためのアンカーとして動作する。
【０１１０】
この出願において用いられるように、用語“コンポーネント（component）”、“モジュール（module）”、“システム（system）”及び同類のものは、例えばハードウェア、ファームウェア、ハードウェアとソフトウェアの組み合わせ、ソフトウェア又は実行中のソフトウェアなどのような（ただし、それらに制限されない）コンピュータ関連のエンティティーを含むことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであることができる。１又は複数のコンポーネントがプロセス及び／又は実行のスレッドの内部に存在しても良く、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信しても良い。
【０１１１】
さらにまた、端末に関連して様々な態様が本明細書で説明される。端末は、有線端末であることも、無線端末であることも可能である。端末はまた、システム、デバイス、加入者ユニット、加入者設備、モバイル局、モバイル、モバイル・デバイス、リモート局、リモート端末、アクセス端末、ユーザ端末、端末、通信デバイス、ユーザ・エージェント、ユーザデバイス又はユーザ装置（ＵＥ）と呼ばれることができる。無線端末は、セルラー電話、衛星電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス、コンピュータデバイス又は無線モデムに接続される他の処理デバイスであっても良い。さらに、基地局に関連して様々な態様が本明細書で説明される。基地局は、（１又は複数の）無線端末と通信するために利用されても良く、また、アクセスポイント、Ｎｏｄｅ Ｂと呼ばれることもあり若しくは何らかの他の専門用語で呼ばれることもある。
【０１１２】
さらに、用語“又は（ｏｒ）”は、排他的な“又は（ｏｒ）”よりはむしろ包含的な“又は（ｏｒ）”を意味することが意図される。つまり、明記され又は文脈から明らかでない限り、“ＸはＡ又はＢを使用する（X employs A or B）”というフレーズは、自然な包含的な置き換えのいずれをも意味することが意図される。つまり、“ＸはＡ又はＢを使用する（X employs A or B）”というフレーズは、以下の例のいずれによっても満たされる：ＸはＡを使用する；ＸはＢを使用する；又は、ＸはＡ及びＢの両方を使用する。さらに、この明細書及び添付のクレームにおいて使用される冠詞“一つの（ａ）”及び“一つの（ａｎ）”は、単数形が指示されるべきことが明記され又は文脈から明らかでない限り、通常、“１又は複数（one or more）”を意味するものと解釈されるべきである。
【０１１３】
本明細書で説明される技術は、例えばＣＤＭＡ、ＴＤＭＡ、ＦＤＭＡ、ＯＦＤＭＡ、ＳＣ−ＦＤＭＡ及び他のシステムのような様々な無線通信システムのために使用されても良い。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装し得る。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装し得る。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装し得る。ＵＴＲＡ及びＥＵＴＲＡは、ユニバーサル移動通信システム（ＵＭＴＳ）の一部である。４ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト４”（３ＧＰＰ２）という名前の団体からのドキュメントに記載されている。さらに、そのような無線通信システムは、アンペア・アンライセンス・スペクトラム（unpaired unlicensed spectrums）、８０２．ｘｘ無線ＬＡＮ、Ｂｌｕｅｔｏｏｔｈ（登録商標）及び任意の他の短距離又は長距離の無線通信技術をしばしば使用するピア・ツー・ピア（例えば、モバイル・ツー・モバイル）アドホック・ネットワーク・システムを更に含んでも良い。
【０１１４】
幾つかのデバイス、コンポーネント、モジュールなどを含み得るシステムに関して様々な態様又は特徴が示される。様々なシステムは、更なるデバイス、コンポーネント、モジュールなどを含んでも良く、及び／又は、図面に関連して述べられたデバイス、コンポーネント、モジュールなどのすべてを含まなくても良い。また、これらのアプローチの組み合せが使用されても良い。
【０１１５】
本明細書で開示される態様に関連して説明される様々な実例となる論理、論理ブロック、モジュール及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル・ロジック・デバイス、ディスクリート・ゲート又はトランジスタ・ロジック、ディスクリート・ハードウェアコンポーネント、又は、本明細書で説明される機能を実行するようにデザインされるそれらの任意の組み合わせで実装又は実行されても良い。汎用プロセッサは、マイクロプロセッサであっても良いが、代わりに、プロセッサは、任意の従来のプロセッサ、コントローラ、マイクロコントローラ又は状態機械であっても良い。プロセッサは、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されても良い。さらに、少なくとも一つのプロセッサは、上で説明されたステップ及び／又はアクションのうちの１又は複数を実行するように動作可能な１又は複数のモジュールを含んでも良い。
【０１１６】
さらに、本明細書で開示される態様に関連して説明される方法又はアルゴリズムのステップ及び／又はアクションは、直接ハードウェアにおいて、プロセッサにより実行されるソフトウェア・モジュールにおいて、又は、それら二つの組み合せにおいて、具体化されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ又は技術的に知られている任意のその他のタイプの記憶媒体であっても良い。例示的な記憶媒体は、プロセッサが該記憶媒体から情報をリードすることができ、また、該記憶媒体に情報をライトすることができるように、該プロセッサに接続されても良い。代わりに、記憶媒体は、プロセッサに一体化されても良い。さらに、幾つかの態様において、プロセッサ及び記憶媒体がＡＳＩＣ中に存在しても良い。さらに、そのＡＳＩＣがユーザ端末上に存在しても良い。代わりに、プロセッサ及び記憶媒体が、ユーザ端末上に個別のコンポーネントとして存在しても良い。さらに、幾つかの態様において、方法又はアルゴリズムのステップ及び／又はアクションは、機械読み取り可能な媒体及び／又はコンピュータ読み取り可能な媒体上のコード及び／又はインストラクションの一つ又は任意の組み合わせ又はセットとして存在しても良く、また、それは、コンピュータ・プログラム製品に組み込まれても良い。
【０１１７】
１又は複数の態様において、説明される機能は、ハードウェア、ソフトウェア、ファームウェア又はそれらの任意の組み合せにおいて実装されても良い。ソフトウェアで実装される場合には、該機能は、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、コンピュータ読み取り可能な媒体と呼ばれても良い。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、通常、レーザーを使って光学的にデータを再生する。上記の組み合わせはまた、コンピュータ読み取り可能な媒体の範
囲の中に含まれるべきである。
【０１１８】
前述の開示は実例となる態様及び／又は実施形態を述べるが、添付されたクレームにより定義される説明された態様及び／又は実施形態の範囲を逸脱することなく様々な変更及び修正がここでなされることができる点に留意されるべきである。さらに、説明された態様及び／又は実施形態の要素が単数で説明又はクレームされることがあるが、単数への制限が明確に記載されていない限り、複数が予期される。さらに、特に明記しない限り、任意の態様及び／又は態様の全体又は一部が、任意の他の態様及び／又は実施形態の全体又は一部とともに利用されても良い。
【図１】
2014090471.tif 000003
【図２】
2014090471.tif 000004
【図３】
2014090471.tif 000005
【図４Ａ】
2014090471.tif 000006
【図４Ｂ】
2014090471.tif 000007
【図５】
2014090471.tif 000008
【図６】
2014090471.tif 000009
【図７】
2014090471.tif 000010
【図８Ａ】
2014090471.tif 000011
【図８Ｂ】
2014090471.tif 000012
【図９】
2014090471.tif 000013
【図１０】
2014090471.tif 000014
【図１１】
2014090471.tif 000015
【図１２】
2014090471.tif 000016
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
クライアントのために通信セッションへのアクセスを容易にするための方法において、前記方法は、
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信することと、ここで、前記アクセス・リクエストは、前記クライアントと前記ＭＮＯのセットのうちの一つとの間の無線コネクションを介して受信される、
前記クライアントから、前記ＭＮＯのセットのうちの少なくとも一つのＭＮＯに関連するクライアント・コネクション・パラメータを受信することと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成することと、ここで、該作成することは、前記通信セッションに関する前記少なくとも一つのオプションを最適化することを含む、
前記少なくとも一つのオプションに基づいて、前記クライアント及び前記ＭＮＯのセットのうちの選択されたＭＮＯを含む選択された通信セッションを確立することを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
方法。
【請求項２】
通信セッションのための少なくとも一つのオプションを作成することは、複数の通信セッションのための複数のオプションを作成することを含み、
前記方法は、前記複数のオプションを前記クライアントに送信することと、
前記複数のオプションからの前記選択された通信セッションの識別情報を、前記クライアントから受信することを更に含む請求項１の方法。
【請求項３】
通信セッションのための少なくとも一つのオプションを作成することは、複数の通信セッションのための複数のオプションを作成することを含み、
前記方法は、前記ＭＶＮＯによって、前記クライアントのために、前記複数のオプションから、前記選択された通信セッションを選択することを更に含む請求項１の方法。
【請求項４】
前記アクセス・リクエストを受信することは、
前記クライアントに関連するクライアント信用証明書を受信することと、
前記選択された通信セッションのために前記ライアント信用証明書を認証することを含む請求項１の方法。
【請求項５】
前記クライアントは、ＭＶＮＯと通信する許可を与えられた前記ＭＮＯのセットのうちの前記少なくとも一つを介して、前記ＭＶＮＯにアクセスするためのアクセス情報を提供されるデバイスを含み、
前記方法は、前記選択された通信セッションの確立の際に使用するために、一時的な識別情報を前記クライアントに提供することを更に含む請求項１の方法。
【請求項６】
前記選択された通信セッションを確立することは、ＭＮＯのセットのうちの一つを、前記通信セッションのためのホストＭＮＯとして、確立することを更に含む請求項１の方法。
【請求項７】
前記ＭＶＮＯコネクション・パラメータは、
前記ＭＮＯのセットに関連する少なくとも一つのネットワークのためのネットワーク可用性、又は、
前記ＭＮＯのセットのうちの少なくとも一つにおける負荷レベルに基づくリンク利用の推定、又は、
前記ＭＮＯのセットに関連する少なくとも一つのネットワークのためのシステム負荷、又は、
前記ＭＮＯのセットに関連するプライシング・オプションのうちの少なくとも一つを含む請求項１の方法。
【請求項８】
前記最適化することは、ネットワーク資源及びクライアント資源を含む資源を最小化するために、前記通信セッションのための前記少なくとも一つのオプションを最適化することを含み、
ネットワーク資源は、ネットワーク負荷、使用及びプライスのうちの少なくとも一つを含み、クライアント資源は、クライアント・エネルギー使用、サービス品質及びプライスのうちの少なくとも一つを含む請求項１の方法。
【請求項９】
前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えることを更に含む請求項１の方法。
【請求項１０】
前記予め定められた閾値は、
ネットワーク信号閾値レベル、又は、
ネットワーク負荷閾値レベル、又は、
ネットワーク・プライス閾値レベルのうちの少なくとも一つを含む請求項９の方法。
【請求項１１】
前記ＭＮＯのセットから、少なくとも一つのＭＮＯのためのスペクトル利用を観測することと、
前記スペクトル利用に基づいて、前記ＭＮＯのうちの一つに、前記通信セッションを動的に割り当てることを更に含む請求項１の方法。
【請求項１２】
前記ＭＮＯのセットから、少なくとも一つのＭＮＯのためのスペクトル利用を観測することと、
前記スペクトル利用検査に基づいて、前記ＭＮＯのセットからの少なくとも一つのＭＮＯのために、利用できるスペクトルを最適に割り当てるために、ネットワークを統計的に多重化することを更に含む請求項１の方法。
【請求項１３】
前記ＭＶＮＯによって、前記ＭＶＮＯを通したデータ・トンネルを介した、前記クライアントと前記ＭＮＯのセットのうちの前記選択されたＭＮＯとの間の前記選択された通信セッションのための制御及びデータ・フローを管理することを更に含む請求項１の方法。
【請求項１４】
前記ＭＶＮＯによって、前記通信セッションのためのハンドオーバー・イベントを管理することを更に含み、
前記ハンドオーバー・イベントは、前記選択されたＭＮＯから第２のＭＮＯへのハンドオーバー又は前記選択されたＭＮＯ内のハンドオーバーのうちの少なくとも一つを含む請求項１３の方法。
【請求項１５】
通信セッションのための少なくとも一つのオプションを作成することは、前記ＭＮＯのセットのサブセットのための通信セッションのためのオプションを判定することを更に含み、
前記サブセットは、前記クライアントによりアクセスできる利用できるＭＮＯを含む請求項１の方法。
【請求項１６】
通信セッションのための少なくとも一つのオプションを作成することは、前記ＭＮＯのセットのサブセットを判定することを更に含み、
前記サブセットは、前記クライアントによる選択のためにアクセスできない省略されたＭＮＯを含む請求項１の方法。
【請求項１７】
前記ＭＮＯのセットは、少なくとも二つの異なるサービス・プロバイダによりオペレートされるＭＮＯを含む請求項１の方法。
【請求項１８】
前記選択された通信セッションのための価格は、少なくとも一つのネットワークに関するシステム負荷又は前記クライアントに関連するリンク品質に基づく請求項１の方法。
【請求項１９】
前記ＭＮＯのセットは、少なくとも二つの異なるサービス・プロバイダによりオペレートされるＭＮＯ、及び、少なくとも二つの異なる通信プロトコルを使用することを含む請求項１の方法。
【請求項２０】
クライアントのために通信セッション・アクセスを容易にするための装置において、前記装置は、
モバイル仮想ネットワーク・オペレータ（ＭＶＮＯ）（該ＭＶＮＯは、モバイル・ネットワーク・オペレータ（ＭＮＯ）のセットに関連する）において、前記クライアントからアクセス・リクエストを受信し、ここで、前記アクセス・リクエストは、前記クライアントと前記ＭＮＯのセットのうちの一つとの間の無線コネクションを介して受信される、
前記クライアントから、前記ＭＮＯのセットのうちの少なくとも一つのＭＮＯに関連するクライアント・コネクション・パラメータを受信するように動作可能な、
アクセス・モジュールと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するように動作可能な、
コネクション・モジュールと、
前記通信セッションに関する前記少なくとも一つのオプションを最適化するように動作可能な、
最適化モジュールとを含み、
前記コネクション・モジュールは、
前記少なくとも一つのオプションに基づいて、前記クライアント及び前記ＭＮＯのセットのうちの選択されたＭＮＯを含む選択された通信セッションを確立するように更に動作可能であり、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
装置。
【請求項２１】
前記コネクション・モジュールは、
前記複数の通信セッションのための数のオプションを作成し、
前記複数のオプションを前記クライアントに送信し、
前記複数のオプションからの前記選択された通信セッションの識別情報を、前記クライアントから受信するように更に動作可能である請求項２０の装置。
【請求項２２】
前記コネクション・モジュールは、
複数の通信セッションのための複数のオプションを作成し、
前記ＭＶＮＯによって、前記クライアントのために、前記複数のオプションから、前記選択された通信セッション選択を選択するように更に動作可能である請求項２０の装置。
【請求項２３】
前記コネクション・モジュールは、
前記クライアントに関連するクライアント信用証明書を受信し、
前記通信セッションのために前記ライアント信用証明書を認証するように動作可能であるクレデンシャル・マネージャー・モジュールを更に含む請求項２０の装置。
【請求項２４】
前記コネクション・モジュールは、
ＭＶＮＯと通信する許可を与えられた前記ＭＮＯのセットのうちの前記少なくとも一つを介して、前記ＭＶＮＯにアクセスするためのアクセス情報を、前記クライアントから受信し、
前記選択された通信セッションの確立の際に使用するために、一時的な識別情報を前記クライアントに提供するように動作可能であるクレデンシャル・マネージャー・モジュールを更に含む請求項２０の装置。
【請求項２５】
前記ＭＮＯのセットのうちの一つは、前記通信セッションのためのホストＭＮＯとして前記ＭＶＮＯにより使用される請求項２０の装置。
【請求項２６】
前記ＭＶＮＯコネクション・パラメータは、
前記ＭＮＯのセットに関連する少なくとも一つのネットワークのためのネットワーク可用性、又は、
前記ＭＮＯのセットのうちの少なくとも一つにおける負荷レベルに基づくリンク利用の推定、又は、
前記ＭＮＯのセットに関連する少なくとも一つのネットワークのためのシステム負荷、又は、
前記ＭＮＯのセットに関連するプライシング・オプションのうちの少なくとも一つを含む請求項２０の装置。
【請求項２７】
前記最適化モジュールは、ネットワーク資源及びクライアント資源を含む資源を最小化するために、前記通信セッションのための前記少なくとも一つのオプションを最適化するように更に動作可能であり、
ネットワーク資源は、ネットワーク負荷、コスト及びプライスのうちの少なくとも一つを含み、クライアント資源は、クライアント・エネルギー使用、サービス品質及びプライスのうちの少なくとも一つを含む請求項２０の装置。
【請求項２８】
前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えるためのハンドオーバー・マネージャー・モジュールを更に含む請求項２０の装置。
【請求項２９】
前記予め定められた閾値は、
ネットワーク信号閾値レベル、又は、
ネットワーク負荷閾値レベル、又は、
ネットワーク・プライス閾値レベルのうちの少なくとも一つを含む請求項２８の装置。
【請求項３０】
前記ＭＮＯのセットから、少なくとも一つのＭＮＯのためのスペクトル利用を観測し、
前記スペクトル利用に基づいて、前記ＭＮＯのうちの一つに、前記通信セッションを動的に割り当てるように動作可能なスペクトル解析モジュールを更に含む請求項２０の装置。
【請求項３１】
前記ＭＮＯのセットから、少なくとも一つのＭＮＯのためのスペクトル利用を観測することと、
前記スペクトル利用検査に基づいて、前記ＭＮＯのセットからの少なくとも一つのＭＮＯのために、利用できるスペクトルを最適に割り当てるために、ネットワークを統計的に多重化するように動作可能なスペクトル解析モジュールを更に含む請求項２０の装置。
【請求項３２】
前記ＭＶＮＯによって、前記ＭＶＮＯを通したデータ・トンネルを介した、前記クライアントと前記ＭＮＯのセットのうちの前記選択された通信セッションのための制御及びデータ・フローを管理するように動作可能な制御マネージャー・モジュール及びデータ・マネージャー・モジュールを更に含む請求項２０の装置。
【請求項３３】
前記ＭＶＮＯによって、前記通信セッションのためのハンドオーバー・イベントを管理するように動作可能なハンドオーバー・マネージャー・モジュールを更に含み、
前記ハンドオーバー・イベントは、前記選択されたＭＮＯから第２のＭＮＯへのハンドオーバー及び前記選択されたＭＮＯ内のハンドオーバーのうちの少なくとも一つを含む請求項３２の装置。
【請求項３４】
前記ＭＮＯのセットのサブセットのための通信セッションのためのオプションを判定するように動作可能なＭＮＯ評価器モジュールを更に含み、
前記サブセットは、前記クライアントによりアクセスできる利用できるＭＮＯを含む請求項２０の装置。
【請求項３５】
前記ＭＮＯのセットのサブセットを判定するように動作可能なＭＮＯ評価器モジュールを更に含み、
前記サブセットは、前記クライアントによる選択のためにアクセスできない省略されたＭＮＯを含む請求項２０の装置。
【請求項３６】
前記ＭＮＯのセットは、少なくとも二つの異なるサービス・プロバイダによりオペレートされるＭＮＯを含む請求項２０の装置。
【請求項３７】
前記選択された通信セッションのための価格は、少なくとも一つのネットワークに関するシステム負荷又は前記クライアントに関連するリンク品質に基づく請求項２０の装置。
【請求項３８】
前記ＭＮＯのセットは、少なくとも二つの異なるサービス・プロバイダによりオペレートされるＭＮＯ、及び、少なくとも二つの異なる通信プロトコルを使用することを含む請求項２０の装置。
【請求項３９】
クライアントのために通信セッションへのアクセスを容易にするように構成された少なくとも一つのプロセッサにおいて、
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための第１のモジュールと、ここで、前記アクセス・リクエストは、前記クライアントと前記ＭＮＯのセットのうちの一つとの間の無線コネクションを介して受信される、
前記クライアントから、前記ＭＮＯのセットのうちの少なくとも一つのＭＮＯに関連するクライアント・コネクション・パラメータを受信するための第２のモジュールと、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための第３のモジュールと、ここで、該作成することは、前記通信セッションに関する前記少なくとも一つのオプションを最適化することを含む、
前記少なくとも一つのオプションに基づいて、前記クライアント及び前記ＭＮＯのセットのうちの選択されたＭＮＯを含む選択された通信セッションを確立するための第４のモジュールとを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
少なくとも一つのプロセッサ。
【請求項４０】
コンピュータに、モバイル仮想ネットワーク・オペレータ（ＭＶＮＯ）（該ＭＶＮＯは、モバイル・ネットワーク・オペレータ（ＭＮＯ）のセットに関連する）において、
クライアントからアクセス・リクエストを受信させるための第１のコード・セットと、ここで、前記アクセス・リクエストは、前記クライアントと前記ＭＮＯのセットのうちの一つとの間の無線コネクションを介して受信される、
コンピュータに、前記クライアントから、前記ＭＮＯのセットのうちの少なくとも一つのＭＮＯに関連するクライアント・コネクション・パラメータを受信させるための第２のコード・セットと、
前記コンピュータに、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成させるための第３のコード・セットと、ここで、該作成させることは、前記通信セッションに関する前記少なくとも一つのオプションを最適化させることを含む、
前記コンピュータに、前記少なくとも一つのオプションに基づいて、前記クライアント及び前記ＭＮＯのセットのうちの選択されたＭＮＯを含む選択された通信セッションを確立させるための第４のコード・セットとを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
非一時的なコンピュータ読み取り可能な媒体。
【請求項４１】
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための手段と、ここで、前記アクセス・リクエストは、前記クライアントと前記ＭＮＯのセットのうちの一つとの間の無線コネクションを介して受信される、
前記クライアントから、前記ＭＮＯのセットのうちの少なくとも一つのＭＮＯに関連するクライアント・コネクション・パラメータを受信するための手段と、
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための手段と、ここで、該作成するための手段は、前記通信セッションに関する前記少なくとも一つのオプションを最適化するための手段を含む、
前記少なくとも一つのオプションに基づいて、前記クライアント及び前記ＭＮＯのセットのうちの選択されたＭＮＯを含む選択された通信セッションを確立するための手段とを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
装置。
【請求項４２】
モバイル仮想ネットワーク・オペレータを通した通信セッションへのクライアントのためのアクセスを容易にする方法において、前記方法は、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信することと、ここで、前記アクセス・リクエストは、前記クライアントと前記ＭＮＯのセットのうちの一つとの間の無線コネクションを介して送信される、
通信セッションに関する少なくとも一つのオプションを最適化することと、
前記最適化に基づいて、前記クライアントから、前記ＭＮＯのセットのうちの少なくとも一つに関連するクライアント・コネクション・パラメータを送信することと、
前記クライアント及び前記ＭＮＯのセットのうちの選択されたＭＮＯを含む選択された通信セッションを、前記選択されたＭＮＯに関連するネットワーク上で確立することを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
方法。
【請求項４３】
複数の通信セッションのための複数のオプションを受信することと、
前記クライアントから前記複数のオプションからの前記選択された通信セッションの識別情報を送信することを更に含む請求項４２の方法。
【請求項４４】
前記複数のオプションからの前記選択された通信セッションのＭＶＮＯによる選択を受信することを更に含む請求項４２の方法。
【請求項４５】
前記クライアントからアクセス・リクエストを送信することは、
前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信することを含む請求項４２の方法。
【請求項４６】
前記アクセス・リクエストを送信することは、
隣接ノードと通信することと、
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信することと、
前記アクセス可能化情報を送信することを更に含む請求項４２の方法。
【請求項４７】
前記アクセス可能化情報を受信することは、前記隣接ノードから一時的な信用証明書を受信することを更に含む請求項４６の方法。
【請求項４８】
前記隣接ノードと通信することは、アクセス・セッションを前記隣接ノードから購入することを更に含む請求項４６の方法。
【請求項４９】
前記アクセス可能化情報を受信することは、前記クライアントと前記隣接ノードとの間の無線通信リンクを介して受信することを更に含む請求項４６の方法。
【請求項５０】
前記クライアントにより、前記ＭＶＮＯからの隣接ノードのための通信セッションのためのアクセス可能化情報を要求することと、
前記クライアントにおいて、前記ＭＶＮＯからの前記隣接ノードのための前記通信セッションのためのアクセス可能化情報を受信することと、
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供することを更に含む請求項４２の方法。
【請求項５１】
前記通信セッションのためのアクセス可能化情報を受信することは、前記隣接ノードのための一時的な信用証明書を受信することを更に含む請求項５０の方法。
【請求項５２】
前記通信セッションのためのアクセス可能化情報を要求することは、前記隣接ノードの代わりに通信セッションを前記ＭＶＮＯから購入することを更に含む請求項５０の方法。
【請求項５３】
前記隣接ノードへ前記通信セッションのための前記アクセス可能化情報を提供することは、前記クライアントと前記隣接ノードとの間の無線通信リンクを介して、前記通信セッションのための前記アクセス可能化情報を送信することを更に含む請求項５０の方法。
【請求項５４】
前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを更に含む請求項４２の方法。
【請求項５５】
前記予め定められた閾値は、
ネットワーク信号閾値レベル、又は、
ネットワーク負荷閾値レベル、又は、
ネットワーク・プライス閾値レベルのうちの少なくとも一つを含む請求項５４の方法。
【請求項５６】
前記選択された通信セッションのための価格は、少なくとも一つのネットワークに関するシステム負荷又は前記クライアントに関連するリンク品質に基づく請求項４２の方法。
【請求項５７】
前記ＭＮＯのセットは、ＭＮＯのサブセットを更に含み、
前記ＭＮＯのサブセットは、前記クライアントによりアクセスできない利用可能でないＭＮＯを除外する請求項４２の方法。
【請求項５８】
モバイル仮想ネットワーク・オペレータを通した通信セッションへのクライアントのためのアクセスを容易にする装置において、前記装置は、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するように動作可能な送信モジュールと、ここで、前記アクセス・リクエストは、前記クライアントと前記ＭＮＯのセットのうちの一つとの間の無線コネクションを介して送信される、
通信セッションに関する少なくとも一つのオプションを最適化するように動作可能な最適化モジュールと、ここで、前記送信モジュールは、前記最適化に基づいて、前記クライアントから、前記ＭＮＯのセットのうちの少なくとも一つに関連するクライアント・コネクション・パラメータを送信する、
前記クライアント及び前記ＭＮＯのセットのうちの選択されたＭＮＯを含む選択された通信セッションを、前記選択されたＭＮＯに関連するネットワーク上で確立するように動作可能なコネクション・モジュールを含、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
装置。
【請求項５９】
前記コネクション・モジュールは、
複数の通信セッションのための複数のオプションを受信し、
前記クライアントから前記複数のオプションからの前記選択された通信セッションの識別情報を送信するように更に動作可能である請求項５８の装置。
【請求項６０】
前記コネクション・モジュールは、
複数のオプションからの前記選択された通信セッションのＭＶＮＯによる選択を受信するように更に動作可能である請求項５８の装置。
【請求項６１】
前記送信モジュールは、前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信するように更に動作可能な請求項５８の装置。
【請求項６２】
前記送信モジュールは、
隣接ノードと通信し、
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信し、
前記アクセス可能化情報を送信するように更に動作可能である請求項５８の装置。
【請求項６３】
前記送信モジュールは、前記隣接ノードから一時的な信用証明書を受信するように更に動作可能である請求項６２の装置。
【請求項６４】
前記送信モジュールは、アクセス・セッションを前記隣接ノードから購入するように更に動作可能である請求項６２の装置。
【請求項６５】
前記送信モジュールは、前記クライアントと前記隣接ノードとの間の無線通信リンクを介して前記アクセス可能化情報を受信するように更に動作可能である請求項６２の装置。
【請求項６６】
前記送信モジュールは、
前記ＭＶＮＯからの隣接ノードのための通信セッションのためのアクセス可能化情報を要求し、
前記ＭＶＮＯからの前記隣接ノードのための前記通信セッションのためのアクセス可能化情報を受信し、
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供するように更に動作可能である請求項５８の装置。
【請求項６７】
前記送信モジュールは、前記隣接ノードのための一時的な信用証明書を受信するように更に動作可能である請求項６６の装置。
【請求項６８】
前記送信モジュールは、前記隣接ノードの代わりに通信セッションを前記ＭＶＮＯから購入するように更に動作可能である請求項６６の装置。
【請求項６９】
前記送信モジュールは、前記クライアントと前記隣接ノードとの間の無線通信リンクを介して、前記通信セッションのための前記アクセス可能化情報を前記隣接ノードへ送信するように更に動作可能である請求項６６の装置。
【請求項７０】
前記コネクション・モジュールは、前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを可能にするように更に動作可能な請求項５８の装置。
【請求項７１】
前記予め定められた閾値は、
ネットワーク信号閾値レベル、又は、
ネットワーク負荷閾値レベル、又は、
ネットワーク・プライス閾値レベルのうちの少なくとも一つを含む請求項７０の装置。
【請求項７２】
前記選択された通信セッションのための価格は、少なくとも一つのネットワークに関するシステム負荷又は前記クライアントに関連するリンク品質に基づく請求項５８の装置。
【請求項７３】
前記ＭＮＯのセットは、ＭＮＯのサブセットを更に含み、
前記ＭＮＯのサブセットは、前記クライアントによりアクセスできない利用可能でないＭＮＯを除外する請求項５８の装置。
【請求項７４】
モバイル仮想ネットワーク・オペレータを通した通信セッションへのクライアントのためのアクセスを容易にするように構成された少なくとも一つのプロセッサにおいて、
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための第１のモジュールと、ここで、前記アクセス・リクエストは、前記クライアントと前記ＭＮＯのセットのうちの一つとの間の無線コネクションを介して送信される、
通信セッションに関する少なくとも一つのオプションを最適化するための第２のモジュールと、
前記最適化に基づいて、前記クライアントから、前記ＭＮＯのセットのうちの少なくとも一つに関連するクライアント・コネクション・パラメータを送信するための第３のモジュールと、
前記クライアント及び前記ＭＮＯのセットのうちの選択されたＭＮＯを含む選択された通信セッションを、前記選択されたＭＮＯに関連するネットワーク上で確立するための第４のモジュールとを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
プロセッサ。
【請求項７５】
コンピュータに、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信させるための第１のコード・セットと、ここで、前記アクセス・リクエストは、前記クライアントと前記ＭＮＯのセットのうちの一つとの間の無線コネクションを介して送信される、
前記コンピュータに、通信セッションに関する少なくとも一つのオプションを最適化させるための第２のコード・セットと、
前記コンピュータに、前記最適化に基づいて、前記クライアントから、前記ＭＮＯのセットのうちの少なくとも一つに関連するクライアント・コネクション・パラメータを送信させるための第３のコード・セットと、
前記コンピュータに、前記クライアント及び前記ＭＮＯのセットのうちの選択されたＭＮＯを含む選択された通信セッションを、前記選択されたＭＮＯに関連するネットワーク上で確立させるための第４のコード・セットとを含み、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
非一時的なコンピュータ読み取り可能な媒体。
【請求項７６】
モバイル仮想ネットワーク・オペレータを通した通信セッションへのクライアントのためのアクセスを容易にする装置において、前記装置は、
クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための送信機と、ここで、前記アクセス・リクエストは、前記クライアントと前記ＭＮＯのセットのうちの一つとの間の無線コネクションを介して送信される、
通信セッションに関する少なくとも一つのオプションを最適化するための、前記送信機に接続される、プロセッサとを含み、
前記送信機は、前記最適化に基づいて、前記ＭＮＯのセットのうちの少なくとも一つに関連するクライアント・コネクション・パラメータを送信するために更に構成され、
前記プロセッサは、前記クライアント及び前記ＭＮＯのセットのうちの選択されたＭＮＯを含む選択された通信セッションを、前記選択されたＭＮＯに関連するネットワーク上で確立するために更に構成され、
前記クライアント・コネクション・パラメータは、
前記ＭＮＯのセットに関連する少なくとも一つのネットワークのためのネットワーク可用性、又は、
前記クライアントにおける局所負荷レベルに基づくリンク利用の推定、又は、
前記クライアントにより選択される要求サービス品質閾値、又は、
前記ＭＮＯのセットに関連する少なくとも一つのネットワークの上の起こり得る通信セッションのためのリンク品質のうちの少なくとも一つを含む、
装置。
【手続補正２】
【補正対象書類名】明細書
【補正対象項目名】０１１８
【補正方法】変更
【補正の内容】
【０１１８】
前述の開示は実例となる態様及び／又は実施形態を述べるが、添付されたクレームにより定義される説明された態様及び／又は実施形態の範囲を逸脱することなく様々な変更及び修正がここでなされることができる点に留意されるべきである。さらに、説明された態様及び／又は実施形態の要素が単数で説明又はクレームされることがあるが、単数への制限が明確に記載されていない限り、複数が予期される。さらに、特に明記しない限り、任意の態様及び／又は態様の全体又は一部が、任意の他の態様及び／又は実施形態の全体又は一部とともに利用されても良い。 
以下に、本願出願の当初の特許請求の範囲に記載された各請求項に対応する発明を付記する。 
［１］クライアントのために通信セッションへのアクセスを容易にするための方法において、前記方法は、 
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信することと、 
前記クライアントから、前記ＭＮＯのセットのうちの少なくとも一つのＭＮＯに関連するクライアント・コネクション・パラメータを受信することと、 
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成することと、 
前記少なくとも一つのオプションに基づいて、選択された通信セッションを確立することを含む方法。 
［２］通信セッションのための少なくとも一つのオプションを作成することは、複数の通信セッションのための複数のオプションを作成することを含み、 
前記方法は、前記複数のオプションを前記クライアントに送信することと、 
前記複数のオプションからの前記選択された通信セッションの識別情報を、前記クライアントから受信することを更に含む［１］の方法。 
［３］通信セッションのための少なくとも一つのオプションを作成することは、複数の通信セッションのための複数のオプションを作成することを含み、 
前記方法は、前記ＭＶＮＯによって、前記クライアントのために、前記複数のオプションから、前記選択された通信セッションを選択することを更に含む［１］の方法。 
［４］前記アクセス・リクエストを受信することは、 
前記クライアントに関連するクライアント信用証明書を受信することと、 
前記選択された通信セッションのために前記ライアント信用証明書を認証することを含む［１］の方法。 
［５］前記クライアントは、ＭＶＮＯと通信する許可を与えられた他のデバイスから、前記ＭＶＮＯにアクセスするためのアクセス情報を提供されるデバイスを含み、 
前記方法は、前記選択された通信セッションの確立の際に使用するために、一時的な識別情報を前記クライアントに提供することを更に含む［１］の方法。 
［６］前記選択された通信セッションを確立することは、ＭＮＯのセットのうちの一つを、前記通信セッションのためのホストＭＮＯとして、確立することを更に含む［１］の方法。 
［７］前記クライアント・コネクション・パラメータは、 
前記ＭＮＯのセットに関連する少なくとも一つのネットワークのためのネットワーク可用性、又は、 
前記クライアントにおける局所負荷レベルに基づくリンク利用の推定、又は、 
前記クライアントにより選択される要求サービス品質閾値、又は、 
前記ＭＮＯのセットに関連する少なくとも一つのネットワークの上の起こり得る通信セッションのためのリンク品質のうちの少なくとも一つを含む［１］の方法。 
［８］前記ＭＶＮＯコネクション・パラメータは、 
前記ＭＮＯのセットに関連する少なくとも一つのネットワークのためのネットワーク可用性、又は、 
前記ＭＮＯのセットのうちの少なくとも一つにおける負荷レベルに基づくリンク利用の推定、又は、 
前記ＭＮＯのセットに関連する少なくとも一つのネットワークのためのシステム負荷、又は、 
前記ＭＮＯのセットに関連するプライシング・オプションのうちの少なくとも一つを含む［１］の方法。 
［９］通信セッションのための少なくとも一つのオプションを作成することは、ネットワーク資源を実質的に最小化し及びクライアント資源を実質的に最小化するために、前記通信セッションのための少なくとも一つのオプションを最適化することを更に含み、 
ネットワーク資源は、ネットワーク負荷、使用及びプライスのうちの少なくとも一つを含み、クライアント資源は、クライアント・エネルギー使用、サービス品質及びプライスのうちの少なくとも一つを含む［１］の方法。 
［１０］前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えることを更に含む［１］の方法。 
［１１］前記予め定められた閾値は、 
ネットワーク信号閾値レベル、又は、 
ネットワーク負荷閾値レベル、又は、 
ネットワーク・プライス閾値レベルのうちの少なくとも一つを含む［１０］の方法。 
［１２］前記ＭＮＯのセットから、少なくとも一つのＭＮＯのためのスペクトル利用を観測することと、 
前記スペクトル利用に基づいて、前記ＭＮＯのうちの一つに、前記通信セッションを動的に割り当てることを更に含む［１］の方法。 
［１３］前記ＭＮＯのセットから、少なくとも一つのＭＮＯのためのスペクトル利用を観測することと、 
前記スペクトル利用検査に基づいて、前記ＭＮＯのセットからの少なくとも一つのＭＮＯのために、利用できるスペクトルを最適に割り当てるために、ネットワークを統計的に多重化することを更に含む［１］の方法。 
［１４］前記ＭＶＮＯによって、前記選択された通信セッションのための制御及びデータ・フローを管理することを更に含む［１］の方法。 
［１５］前記ＭＶＮＯによって、前記通信セッションのためのハンドオーバー・イベントを管理することを更に含み、 
前記ハンドオーバー・イベントは、前記選択されたＭＮＯから第２のＭＮＯへのハンドオーバー又は前記選択されたＭＮＯ内のハンドオーバーのうちの少なくとも一つを含む［１４］の方法。 
［１６］通信セッションのための少なくとも一つのオプションを作成することは、前記ＭＮＯのセットのサブセットのための通信セッションのためのオプションを判定することを更に含み、 
前記サブセットは、前記クライアントによりアクセスできる利用できるＭＮＯを含む［１］の方法。 
［１７］通信セッションのための少なくとも一つのオプションを作成することは、前記ＭＮＯのセットのサブセットを判定することを更に含み、 
前記サブセットは、前記クライアントによる選択のためにアクセスできない省略されたＭＮＯを含む［１］の方法。 
［１８］前記ＭＮＯのセットは、少なくとも二つの異なるサービス・プロバイダによりオペレートされるＭＮＯを含む［１］の方法。 
［１９］前記ＭＮＯのセットは、少なくとも二つの異なる通信プロトコルの使用を含む［１］の方法。 
［２０］前記ＭＮＯのセットは、少なくとも二つの異なるサービス・プロバイダによりオペレートされるＭＮＯ、及び、少なくとも二つの異なる通信プロトコルを使用することを含む［１］の方法。 
［２１］クライアントのために通信セッション・アクセスを容易にするための装置において、前記装置は、 
モバイル仮想ネットワーク・オペレータ（ＭＶＮＯ）（該ＭＶＮＯは、モバイル・ネットワーク・オペレータ（ＭＮＯ）のセットに関連する）において、前記クライアントからアクセス・リクエストを受信し、前記クライアントから、前記ＭＮＯのセットのうちの少なくとも一つのＭＮＯに関連するクライアント・コネクション・パラメータを受信するように動作可能なアクセス・モジュールと、 
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成し、 
前記少なくとも一つのオプションに基づいて、選択された通信セッションを確立するように動作可能なコネクション・モジュールとを含む装置。 
［２２］前記コネクション・モジュールは、 
前記複数の通信セッションのための数のオプションを作成し、 
前記複数のオプションを前記クライアントに送信し、 
前記複数のオプションからの前記選択された通信セッションの識別情報を、前記クライアントから受信するように更に動作可能である［２１］の装置。 
［２３］前記コネクション・モジュールは、 
複数の通信セッションのための複数のオプションを作成し、 
前記ＭＶＮＯによって、前記クライアントのために、前記複数のオプションから、前記選択された通信セッション選択を選択するように更に動作可能である［２１］の装置。 
［２４］前記コネクション・モジュールは、 
前記クライアントに関連するクライアント信用証明書を受信し、 
前記通信セッションのために前記ライアント信用証明書を認証するように動作可能であるクレデンシャル・マネージャー・モジュールを更に含む［２１］の装置。 
［２５］前記コネクション・モジュールは、 
ＭＶＮＯと通信する許可を与えられた他のデバイスから、前記ＭＶＮＯにアクセスするためのアクセス情報を、前記クライアントから受信し、 
前記選択された通信セッションの確立の際に使用するために、一時的な識別情報を前記クライアントに提供するように動作可能であるクレデンシャル・マネージャー・モジュールを更に含む［２１］の装置。 
［２６］前記ＭＮＯのセットのうちの一つは、前記通信セッションのためのホストＭＮＯとして前記ＭＶＮＯにより使用される［２１］の装置。 
［２７］前記クライアント・コネクション・パラメータは、 
前記ＭＮＯのセットに関連する少なくとも一つのネットワークのためのネットワーク可用性、又は、 
前記クライアントにおける局所負荷レベルに基づくリンク利用の推定、又は、 
前記クライアントにより選択される要求サービス品質閾値、又は、 
前記ＭＮＯのセットに関連する少なくとも一つのネットワークの上の起こり得る通信セッションのためのリンク品質のうちの少なくとも一つを含む［２１］の装置。 
［２８］前記ＭＶＮＯコネクション・パラメータは、 
前記ＭＮＯのセットに関連する少なくとも一つのネットワークのためのネットワーク可用性、又は、 
前記ＭＮＯのセットのうちの少なくとも一つにおける負荷レベルに基づくリンク利用の推定、又は、 
前記ＭＮＯのセットに関連する少なくとも一つのネットワークのためのシステム負荷、又は、 
前記ＭＮＯのセットに関連するプライシング・オプションのうちの少なくとも一つを含む［２１］の装置。 
［２９］前記コネクション・モジュールは、ネットワーク資源を実質的に最小化し及びクライアント資源を実質的に最小化するために、前記通信セッションのための少なくとも一つのオプションを最適化するように動作可能な最適化モジュールを更に含み、 
ネットワーク資源は、ネットワーク負荷、コスト及びプライスのうちの少なくとも一つを含み、クライアント資源は、クライアント・エネルギー使用、サービス品質及びプライスのうちの少なくとも一つを含む［２１］の装置。 
［３０］前記選択されたＭＮＯに関連する前記コネクション・パラメータのうちの少なくとも一つが予め定められた閾値に達することを前記ＭＶＮＯが判定する通信セッションの間に、前記クライアントを前記ＭＮＯのセットから第２のＭＮＯへ切り替えるためのハンドオーバー・マネージャー・モジュールを更に含む［２１］の装置。 
［３１］前記予め定められた閾値は、 
ネットワーク信号閾値レベル、又は、 
ネットワーク負荷閾値レベル、又は、 
ネットワーク・プライス閾値レベルのうちの少なくとも一つを含む［３０］の装置。 
［３２］前記ＭＮＯのセットから、少なくとも一つのＭＮＯのためのスペクトル利用を観測し、 
前記スペクトル利用に基づいて、前記ＭＮＯのうちの一つに、前記通信セッションを動的に割り当てるように動作可能なスペクトル解析モジュールを更に含む［２１］の装置。 
［３３］前記ＭＮＯのセットから、少なくとも一つのＭＮＯのためのスペクトル利用を観測することと、 
前記スペクトル利用検査に基づいて、前記ＭＮＯのセットからの少なくとも一つのＭＮＯのために、利用できるスペクトルを最適に割り当てるために、ネットワークを統計的に多重化するように動作可能なスペクトル解析モジュールを更に含む［２１］の装置。 
［３４］前記ＭＶＮＯによって、前記通信セッションのための制御及びデータ・フローを管理するように動作可能な制御マネージャー・モジュール及びデータ・マネージャー・モジュールを更に含む［２１］の装置。 
［３５］前記ＭＶＮＯによって、前記通信セッションのためのハンドオーバー・イベントを管理するように動作可能なハンドオーバー・マネージャー・モジュールを更に含み、 
前記ハンドオーバー・イベントは、前記選択されたＭＮＯから第２のＭＮＯへのハンドオーバー及び前記選択されたＭＮＯ内のハンドオーバーのうちの少なくとも一つを含む［３４］の装置。 
［３６］前記ＭＮＯのセットのサブセットのための通信セッションのためのオプションを判定するように動作可能なＭＮＯ評価器モジュールを更に含み、 
前記サブセットは、前記クライアントによりアクセスできる利用できるＭＮＯを含む［２１］の装置。 
［３７］前記ＭＮＯのセットのサブセットを判定するように動作可能なＭＮＯ評価器モジュールを更に含み、 
前記サブセットは、前記クライアントによる選択のためにアクセスできない省略されたＭＮＯを含む［２１］の装置。 
［３８］前記ＭＮＯのセットは、少なくとも二つの異なるサービス・プロバイダによりオペレートされるＭＮＯを含む［２１］の装置。 
［３９］前記ＭＮＯのセットは、少なくとも二つの異なる通信プロトコルの使用を含む［２１］の装置。 
［４０］前記ＭＮＯのセットは、少なくとも二つの異なるサービス・プロバイダによりオペレートされるＭＮＯ、及び、少なくとも二つの異なる通信プロトコルを使用することを含む［２１］の装置。 
［４１］クライアントのために通信セッションへのアクセスを容易にするように構成された少なくとも一つのプロセッサにおいて、 
モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための第１のモジュールと、 
前記クライアントから、前記ＭＮＯのセットのうちの少なくとも一つのＭＮＯに関連するクライアント・コネクション・パラメータを受信するための第２のモジュールと、 
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための第３のモジュールと、 
前記少なくとも一つのオプションに基づいて、選択された通信セッションを確立するための第４のモジュールことを含む少なくともプロセッサ。 
［４２］コンピュータに、モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信させるための第１のコード・セットと、 
コンピュータに、前記クライアントから、前記ＭＮＯのセットのうちの少なくとも一つのＭＮＯに関連するクライアント・コネクション・パラメータを受信させるための第２のコード・セットと、 
前記コンピュータに、前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成させるための第３のコード・セットと、 
前記コンピュータに、前記少なくとも一つのオプションに基づいて、選択された通信セッションを確立させるための第４のコード・セットとを含むコンピュータ読み取り可能な媒体を含むコンピュータ・プログラム製品。 
［４３］モバイル仮想ネットワーク・オペレータ（ＭＶＮＯ）（該ＭＶＮＯは、モバイル・ネットワーク・オペレータ（ＭＮＯ）のセットに関連する）において、クライアントからアクセス・リクエストを受信するための手段と、 
前記クライアントから、前記ＭＮＯのセットのうちの少なくとも一つのＭＮＯに関連するクライアント・コネクション・パラメータを受信するための手段と、 
前記ＭＮＯのセットのうちの前記少なくとも一つのＭＮＯに関連するネットワーク上の通信セッションに関する少なくとも一つのオプション（該少なくとも一つのオプションは、前記クライアント・コネクション・パラメータ及び前記ＭＮＯのセットに関連するＭＶＮＯコネクション・パラメータに基づく）を作成するための手段と、 
前記少なくとも一つのオプションに基づいて、選択された通信セッションを確立するための手段とを含む装置。 
［４４］モバイル仮想ネットワーク・オペレータを通した通信セッションへのクライアントのためのアクセスを容易にする方法において、前記方法は、 
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信することと、 
前記ＭＮＯのセットのうちの少なくとも一つに関連するクライアント・クライアント・コネクション・パラメータから送信することと、 
前記ＭＮＯのセットのうちの選択されたＭＮＯに関連するネットワーク上で選択された通信セッションを確立することを含む方法。 
［４５］複数の通信セッションのための複数のオプションを受信することと、 
前記クライアントから前記複数のオプションからの前記選択された通信セッションの識別情報を送信することを更に含む［４４］の方法。 
［４６］前記複数のオプションからの前記選択された通信セッションのＭＶＮＯによる選択を受信することを更に含む［４４］の方法。 
［４７］前記クライアントからアクセス・リクエストを送信することは、 
前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信することを含む［４４］の方法。 
［４８］前記アクセス・リクエストを送信することは、 
隣接ノードと通信することと、 
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信することと、 
前記アクセス可能化情報を送信することを更に含む［４４］の方法。 
［４９］前記アクセス可能化情報を受信することは、前記隣接ノードから一時的な信用証明書を受信することを更に含む［４８］の方法。 
［５０］前記隣接ノードと通信することは、アクセス・セッションを前記隣接ノードから購入することを更に含む［４８］の方法。 
［５１］前記アクセス可能化情報を受信することは、前記クライアントと前記隣接ノードとの間の無線通信リンクを介して受信することを更に含む［４８］の方法。 
［５２］前記クライアントにより、前記ＭＶＮＯからの隣接ノードのための通信セッションのためのアクセス可能化情報を要求することと、 
前記クライアントにおいて、前記ＭＶＮＯからの前記隣接ノードのための前記通信セッションのためのアクセス可能化情報を受信することと、 
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供することを更に含む［４４］の方法。 
［５３］前記通信セッションのためのアクセス可能化情報を受信することは、前記隣接ノードのための一時的な信用証明書を受信することを更に含む［５２］の方法。 
［５４］前記通信セッションのためのアクセス可能化情報を要求することは、前記隣接ノードの代わりに通信セッションを前記ＭＶＮＯから購入することを更に含む［５２］の方法。 
［５５］前記隣接ノードへ前記通信セッションのための前記アクセス可能化情報を提供することは、前記クライアントと前記隣接ノードとの間の無線通信リンクを介して、前記通信セッションのための前記アクセス可能化情報を送信することを更に含む［５２］の方法。 
［５６］前記クライアント・コネクション・パラメータは、 
前記ＭＮＯのセットに関連する少なくとも一つのネットワークに関するネットワーク可用性、又は、 
前記クライアントにおける局所負荷レベルに基づくリンク利用の推定、又は、 
前記クライアントにより選択される要求されたサービス品質閾値、又は、 
前記ＭＮＯのセットに関連する少なくとも一つのネットワーク上の起こり得る通信セッションのためのリンク品質のうちの少なくとも一つを含む［４４］の方法。 
［５７］前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを更に含む［４４］の方法。 
［５８］前記予め定められた閾値は、 
ネットワーク信号閾値レベル、又は、 
ネットワーク負荷閾値レベル、又は、 
ネットワーク・プライス閾値レベルのうちの少なくとも一つを含む［５７］の方法。 
［５９］前記ＭＮＯのセットは、ＭＮＯのサブセットを更に含み、 
前記ＭＮＯのサブセットは、前記クライアントによりアクセスできる利用可能なＭＮＯを含む［４４］の方法。 
［６０］前記ＭＮＯのセットは、ＭＮＯのサブセットを更に含み、 
前記ＭＮＯのサブセットは、前記クライアントによりアクセスできない利用可能でないＭＮＯを除外する［４４］の方法。 
［６１］モバイル仮想ネットワーク・オペレータを通した通信セッションへのクライアントのためのアクセスを容易にする装置において、前記装置は、 
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信し、前記ＭＮＯのセットのうちの少なくとも一つに関連するクライアント・クライアント・コネクション・パラメータから送信するように動作可能な送信モジュールと、 
前記ＭＮＯのセットのうちの選択されたＭＮＯに関連するネットワーク上で選択された通信セッションを確立するように動作可能なコネクション・モジュールを含む装置。 
［６２］前記コネクション・モジュールは、 
複数の通信セッションのための複数のオプションを受信し、 
前記クライアントから前記複数のオプションからの前記選択された通信セッションの識別情報を送信するように更に動作可能である［６１］の装置。 
［６３］前記コネクション・モジュールは、 
複数のオプションからの前記選択された通信セッションのＭＶＮＯによる選択を受信するように更に動作可能である［６１］の装置。 
［６４］前記送信モジュールは、前記ＭＶＮＯが前記通信セッションのための前記クライアント信用証明書を認証するのを可能にするために、前記ＭＶＮＯに、前記ＭＮＯのセットのうちの少なくとも一つを通して、前記クライアントに関連するクライアント信用証明書を送信するように更に動作可能な［６１］の装置。 
［６５］前記送信モジュールは、 
隣接ノードと通信し、 
前記隣接ノードから、アクセス可能化情報（該アクセス可能化情報は、前記ＭＮＯのセットのうちの少なくとも一つに対応する前記通信セッションのためのネットワークへのアクセスを提供するように動作可能である）を受信し、 
前記アクセス可能化情報を送信するように更に動作可能である［６１］の装置。 
［６６］前記送信モジュールは、前記隣接ノードから一時的な信用証明書を受信するように更に動作可能である［６５］の装置。 
［６７］前記送信モジュールは、アクセス・セッションを前記隣接ノードから購入するように更に動作可能である［６５］の装置。 
［６８］前記送信モジュールは、前記クライアントと前記隣接ノードとの間の無線通信リンクを介して前記アクセス可能化情報を受信するように更に動作可能である［６５］の装置。 
［６９］前記送信モジュールは、 
前記ＭＶＮＯからの隣接ノードのための通信セッションのためのアクセス可能化情報を要求し、 
前記ＭＶＮＯからの前記隣接ノードのための前記通信セッションのためのアクセス可能化情報を受信し、 
前記隣接ノードへ、前記通信セッションのための前記アクセス可能化情報（該アクセス可能化情報は、前記ＭＮＯのセットのうちの少なくとも一つに対応するネットワークへのアクセスを提供するように動作可能である）を提供するように更に動作可能である［６１］の装置。 
［７０］前記送信モジュールは、前記隣接ノードのための一時的な信用証明書を受信するように更に動作可能である［６９］の装置。 
［７１］前記送信モジュールは、前記隣接ノードの代わりに通信セッションを前記ＭＶＮＯから購入するように更に動作可能である［６９］の装置。 
［７２］前記送信モジュールは、前記クライアントと前記隣接ノードとの間の無線通信リンクを介して、前記通信セッションのための前記アクセス可能化情報を前記隣接ノードへ送信するように更に動作可能である［６９］の装置。 
［７３］前記クライアント・コネクション・パラメータは、 
前記ＭＮＯのセットに関連する少なくとも一つのネットワークに関するネットワーク可用性、又は、 
前記クライアントにおける局所負荷レベルに基づくリンク利用の推定、又は、 
前記クライアントにより選択される要求されたサービス品質閾値、又は、 
前記ＭＮＯのセットに関連する少なくとも一つのネットワーク上の起こり得る通信セッションのためのリンク品質のうちの少なくとも一つを含む［６１］の装置。 
［７４］前記コネクション・モジュールは、前記選択されたＭＮＯに関連する前記コネクション・パラメータのうちの少なくとも一つが予め定められた閾値に達することがＭＶＮＯにより判定される場合に、前記通信セッションの間、前記ＭＮＯのセットから第２のＭＮＯに切り替えることを可能にするように更に動作可能な［６１］の装置。 
［７５］前記予め定められた閾値は、 
ネットワーク信号閾値レベル、又は、 
ネットワーク負荷閾値レベル、又は、 
ネットワーク・プライス閾値レベルのうちの少なくとも一つを含む［７４］の装置。 
［７６］前記ＭＮＯのセットは、ＭＮＯのサブセットを更に含み、 
前記ＭＮＯのサブセットは、前記クライアントによりアクセスできる利用可能なＭＮＯを含む［６１］の装置。 
［７７］前記ＭＮＯのセットは、ＭＮＯのサブセットを更に含み、 
前記ＭＮＯのサブセットは、前記クライアントによりアクセスできない利用可能でないＭＮＯを除外する［６１］の装置。 
［７８］モバイル仮想ネットワーク・オペレータを通した通信セッションへのクライアントのためのアクセスを容易にするように構成された少なくとも一つのプロセッサにおいて、 
前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための第１のモジュールと、 
前記ＭＮＯのセットのうちの少なくとも一つに関連するクライアント・クライアント・コネクション・パラメータから送信するための第２のモジュールと、 
前記ＭＮＯのセットのうちの選択されたＭＮＯに関連するネットワーク上で選択された通信セッションを確立するための第３のモジュールとを含むプロセッサ。 
［７９］コンピュータに、前記クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信させるための第１のコード・セットと、 
コンピュータに、前記ＭＮＯのセットのうちの少なくとも一つに関連するクライアント・クライアント・コネクション・パラメータから送信させるための第２のコード・セットと、 
前記コンピュータに、前記ＭＮＯのセットのうちの選択されたＭＮＯに関連するネットワーク上で選択された通信セッションを確立させるための第３のコード・セットとを含むコンピュータ読み取り可能な媒体を含むコンピュータ・プログラム製品。 
［８０］モバイル仮想ネットワーク・オペレータを通した通信セッションへのクライアントのためのアクセスを容易にする装置において、前記装置は、 
クライアントから、モバイル仮想ネットワーク・オペレータ（ＭＶＮＯ）（該ＭＶＮＯは、モバイル・ネットワーク・オペレータ（ＭＮＯ）のセットに関連する）へ、アクセス・リクエストを送信するための手段と、 
前記ＭＮＯのセットのうちの少なくとも一つに関連するクライアント・クライアント・コネクション・パラメータから送信するための手段と、 
前記ＭＮＯのセットのうちの選択されたＭＮＯに関連するネットワーク上で選択された通信セッションを確立するための手段とを含む装置。
【外国語明細書】
2014090471000001.pdf